(57)【特許請求の範囲】
【請求項１】
一方に開口が形成されたケースと、
前記開口から突出し動作可能な操作部材と、
該操作部材の動作を検出する検出手段と、
前記開口側を覆うように前記ケースに装着され防水性と弾性を有した材質で形成されたカバー部材と、を備え、前記ケースの他方側が挿入可能であって前記カバー部材に覆われる取付孔を有する被取付部に取り付けられる電気部品において、
前記ケースは、前記一方側に、前記開口側から平面視して、前記ケースの外縁から外方へ突出して形成された鍔部を有し、
前記カバー部材は、孔部を有して板状に形成されたベース部と、前記孔部に臨む前記ベース部の内縁部から延設され弾性変形可能な筒状部と、該筒状部における前記孔部と対向する側を塞ぐ蓋部と、を有し、
前記カバー部材が前記ケースに装着される前の状態において、前記蓋部側から平面視した前記筒状部の外形は、前記鍔部の外形よりも小さく、
前記カバー部材が前記ケースに装着された際には、前記ケースの前記開口側が前記孔部から前記筒状部にかけて当該カバー部材に挿入されるとともに、前記鍔部の外側に位置する前記カバー部材の前記筒状部が前記鍔部の外形に沿って弾性変形して装着されていることを特徴とする電気部品。
【請求項２】
前記筒状部は、前記鍔部と前記ベース部との間に配置されるとともに前記ベース部と一緒に前記鍔部と前記被取付部とにより圧接挟持される部分を有することを特徴とする請求項１に記載の電気部品。
【請求項３】
前記鍔部の上面における内周側には、第１規制部が設けられ、
前記蓋部には、前記第１規制部の内側に配置され、当該第１規制部と係合可能に対向する第２規制部が設けられていることを特徴とする請求項１または請求項２に記載の電気部品。
【請求項４】
前記カバー部材は、前記ベース部から上方へ突出し前記筒状部の周囲を囲むように筒状に形成された外周壁部を有し、
該外周壁部は、前記筒状部より厚みが厚く、
前記筒状部の一部が前記鍔部の外周部と前記外周壁部との間に位置することを特徴とする請求項１ないし請求項３のいずれかに記載の電気部品。
【請求項５】
前記外周壁部の突出方向の突出端は、前記鍔部の上面より上方に位置していることを特徴とする請求項４に記載の電気部品。
【請求項６】
前記外周壁部の突出方向の突出端は、前記ケースより上方に位置していることを特徴とする請求項４に記載の電気部品。
【請求項７】
前記ベース部の前記筒状部が無い側には、前記孔部の全周に沿って設けられた環状の突設部を有し、
該突設部の少なくとも一部は、平面視して、前記鍔部と重なっていることを特徴とする請求項１ないし請求項６のいずれかに記載の電気部品。
【請求項８】
前記ベース部の外周部には、下側外方へ延設し延設方向に向けて厚さが薄くなるように形成された傘部を有することを特徴とする請求項１ないし請求項７のいずれかに記載の電気部品。
【請求項９】
前記ケースには、前記被取付部に係合可能な係合突部を有する係合部材が、平面視して前記鍔部の内側に設けられていることを特徴とする請求項１ないし請求項８のいずれかに記載の電気部品。
【請求項１０】
前記ケースは、前記開口が設けられ前記取付孔よりも外形が大きく前記被取付部の一方側に配設される上ケース部と、前記上ケース部に連続して形成され前記取付孔に挿通可能で前記被取付部の他方側に配設される下ケース部と、を有し、
前記開口に連続して前記上ケース部と前記下ケース部とで形成されるとともに前記操作部材を収納可能な収容部を有し、
前記係合部材は、下端部が前記下ケース部の外周を形成する外壁部に繋がって弾性変形可能であるとともに、上端部が前記上ケース部の上方まで延在しており、
該上端部に、前記カバー部材を介して操作可能な把持部が設けられていることを特徴とする請求項９に記載の電気部品。
【請求項１１】
前記下ケース部の前記外壁部には、前記上ケース部側の位置に凹部が設けられており、
前記係合部材が該凹部の下方に位置する底面から延設されていることを特徴とする請求項１０に記載の電気部品。
【請求項１２】
前記係合部材は、前記収容部を挟んで対向する位置に、当該収容部側へ揺動可能にそれぞれ設けられていることを特徴とする請求項１０または請求項１１に記載の電気部品。
【請求項１３】
前記カバー部材が不透明な材質からなることを特徴とする請求項１０ないし請求項１２のいずれかに記載の電気部品。
【請求項１４】
前記検出手段は、前記ケース内に収容され前記操作部材と一体に動作可能な可動接点部材と、前記ケース内に収容され前記可動接点部材と接触可能な固定接点部材と、を有することを特徴とする請求項１ないし請求項１３のいずれかに記載の電気部品。
【請求項１５】
前記固定接点部材は、互いに電気的に絶縁された第１固定接点部と第２固定接点部を有し、
前記第１固定接点部は、外部機器との接続のための取出端子と導通しており、
前記第２固定接点部は、金属板からなる端子部材と導通しており、
該端子部材の側端面は、前記被取付部と当接可能で前記ケースの側面部から露出した露出部を有しており、
前記露出部は、前記カバー部材の内側に位置していることを特徴とする請求項１４に記載の電気部品。
【請求項１６】
前記固定接点部材は、互いに電気的に絶縁された第１固定接点部と第２固定接点部を有し、
前記第１固定接点部は、外部機器との接続のための第１取出端子と導通しているとともに、前記第２固定接点部は、前記外部機器との接続のための第２取出端子と導通しており、
前記第１取出端子及び前記第２取出端子は、前記ケースの前記他方側から露出していることを特徴とする請求項１４に記載の電気部品。
【発明の詳細な説明】
【技術分野】
【０００１】
本発明は、電気部品に関し、特に、屋外で使用される、または屋外に設置されるのに適した電気部品に関する。
【背景技術】
【０００２】
近年、電子機器が屋外で使用されたり、屋外に設置される場面が多くなり、電子機器の耐環境性、特に水に対する耐水性が求められてきた。例えば、自動車のドアやトランクの開閉を検知する電気部品のように、一部が車外（屋外）に露出して設置される電気部品に対しては、水に対する耐水性が求められてきた。このようなことから、防水構造を備えた電気部品が益々重要となってきた。
【０００３】
このような防水構造を備えた電気部品の従来例として、特許文献１では、車両のドア部分やトランクリット部分のボディーに取り付けられる車両用防水プッシュスイッチ９００が提案されている。図２７は、従来例の車両用防水プッシュスイッチ９００を示す縦断面図である。
【０００４】
図２７に示す車両用防水プッシュスイッチ９００は、押圧される押圧体９１２を一方側に有したスイッチ９０１と、スイッチ９０１のケース９０１Ｃと一体成形された鍔板９１１と、鍔板９１１に固定されるマイナス電極板９０２と、鍔板９１１に着脱自在に取付けられスイッチ９０１の上部を覆う防水キャップ９０４と、マイナス電極板９０２、鍔板９１１及び防水キャップ９０４に設けられた孔９２４ｈに挿通されるネジ９０３と、から構成されている。そして、車両用防水プッシュスイッチ９００は、ケース９０１Ｃの他方側に他の電子機器と接続されるプラス電極板９１３を有しており、自動車のドアを閉めることにより押圧体９１２が押圧され、ネジ９０３を介してボディー９５０にアースされたマイナス電極板９０２とケース９０１Ｃから外部に導出されたプラス電極板９１３とが離開されて、オフ状態となるように構成されている。一方、自動車のドアを開放することにより押圧力が解除されて、マイナス電極板９０２とプラス電極板９１３とが接触して、オン状態となるように構成されている。
【０００５】
また、車両用防水プッシュスイッチ９００がピラー等のボディー９５０の孔に挿入されてボディー９５０に取り付けられた際には、防水キャップ９０４の凹部９０４ｒが鍔板９１１の周縁の凸部９１１ｂに係合されているので、ネジ止めされた押圧力で、鍔板９１１の凸部９１１ｂとボディー９５０との間の防水キャップ９０４の挟持部分（図２７に示す９０４ｎ）が押圧変形されている。これにより、スイッチ９０１の防水効果が得られるようになっている。
【先行技術文献】
【特許文献】
【０００６】
【特許文献１】特開平１１−２６０１８８号公報
【発明の概要】
【発明が解決しようとする課題】
【０００７】
しかしながら、一般に防水キャップ９０４は、弾性を有した合成ゴム材料を成形して作製するが、防水キャップ９０４の凹部９０４ｒのようなアンダーカット形状部分があると、成形型の構造が複雑になるばかりか、成形型から成形品を取り出す際に、アンダーカット形状部分に負荷がかかり、場合によっては成形品の一部が削れてしまうという課題があった。
【０００８】
本発明は、上述した課題を解決するもので、簡易な構成の防水構造を備えた電気部品を提供することを目的とする。
【課題を解決するための手段】
【０００９】
この課題を解決するために、本発明の電気部品は、一方に開口が形成されたケースと、前記開口から突出し動作可能な操作部材と、該操作部材の動作を検出する検出手段と、前記開口側を覆うように前記ケースに装着され防水性と弾性を有した材質で形成されたカバー部材と、を備え、前記ケースの他方側が挿入可能であって前記カバー部材に覆われる取付孔を有する被取付部に取り付けられる電気部品において、前記ケースが、前記一方側に、前記開口側から平面視して、前記ケースの外縁から外方へ突出して形成された鍔部を有し、前記カバー部材が、孔部を有して板状に形成されたベース部と、前記孔部に臨む前記ベース部の内縁部から延設され弾性変形可能な筒状部と、該筒状部における前記孔部と対向する側を塞ぐ蓋部と、を有し、前記カバー部材が前記ケースに装着される前の状態において、前記蓋部側から平面視した前記筒状部の外形は、前記鍔部の外形よりも小さく、前記カバー部材が前記ケースに装着された際には、前記ケースの前記開口側が前記孔部から前記筒状部にかけて当該カバー部材に挿入されるとともに、前記カバー部材の前記筒状部が前記鍔部の外形に沿って弾性変形して装着されていることを特徴としている。
【００１０】
これによれば、本発明の電気部品は、従来例のようなアンダーカット形状部分をカバー部材に予め設ける必要がないので、カバー部材を作製するための金型構造を簡略化することができる。また、カバー部材を金型から外すときに無理な引き抜きをしなくても良いので、削れカスも発生しにくく、削れカスによる不具合の発生を防止することができる。これらのことにより、簡易な構成でありながら、防水構造を備えた電気部品を提供することができる。
【００１１】
また、本発明の電気部品は、前記筒状部が、前記鍔部と前記ベース部との間に配置されるとともに前記ベース部と一緒に前記鍔部と前記被取付部とにより圧接挟持される部分を有することを特徴としている。
【００１２】
これによれば、ケースの他方側が挿入された被取付部の取付孔を覆うカバー部材でケースの開口側を防水することができる。このため、従来例のようにアンダーカット形状部分をカバー部材に設けない簡易な構成でありながら、防水を確実に行うことができる。
【００１３】
また、本発明の電気部品は、前記鍔部の上面における内周側には、第１規制部が設けられ、前記蓋部には、前記第１規制部の内側に配置され、当該第１規制部と係合可能に対向する第２規制部が設けられていることを特徴としている。
【００１４】
これによれば、筒状部が鍔部の外形に沿って弾性変形して鍔部を覆うときに、蓋部が鍔部の延出方向側に引っ張られて変形することを防止することができる。このため、筒状部と鍔部との間に生じる隙間を小さくすることができ、より筒状部を鍔部に密着させることができる。このことにより、より防水機能を高めることができる。また、蓋部の変形が防止されることで、カバー部材を介して操作部材が操作される際の操作性に悪影響を与えることがない。
【００１５】
また、本発明の電気部品は、前記カバー部材が前記ベース部から上方へ突出し前記筒状部の周囲を囲むように筒状に形成された外周壁部を有し、該外周壁部が前記筒状部より厚みが厚く、前記筒状部の一部が前記鍔部の外周部と前記外周壁部との間に位置することを特徴としている。
【００１６】
これによれば、鍔部の外周部側（鍔部の延出方向側）に位置する筒状部を外的要因、例えば物理的な衝撃等から保護することができる。このことにより、例えば筒状部の破れ等の発生を防止することができ、カバー部材の耐久性を向上させることができる。
【００１７】
また、本発明の電気部品は、前記外周壁部の突出方向の突出端が前記鍔部の上面より上方に位置していることを特徴としている。
【００１８】
これによれば、鍔部の上面側（外周壁部の突出方向側）に位置する筒状部を外的要因から保護することができる。このことにより、例えば筒状部の破れ等の発生を防止することができ、カバー部材の耐久性をより向上させることができる。
【００１９】
また、本発明の電気部品は、前記外周壁部の突出方向の突出端が前記ケースより上方に位置していることを特徴としている。
【００２０】
これによれば、何らかの外的要因により通常よりも操作ストロークが長くなるようなことが発生したとしても、外周壁部がストッパーの役割を果たし、操作部材を介してケース内部に過度の衝撃が加わらないように保護することができる。このことにより、防水構造を備えた電気部品の耐久性をより向上させることができる。
【００２１】
また、本発明の電気部品は、前記ベース部の前記筒状部が無い側には、前記孔部の全周に沿って設けられた環状の突設部を有し、該突設部の少なくとも一部は、平面視して、前記鍔部と重なっていることを特徴としている。
【００２２】
これによれば、電気部品が被取付部に取り付けられた際に、この突設部が優先して被取付部に付勢されて圧接されるようになる。このことにより、カバー部材と被取付部との密着構造をより確実なものとし、より一層防水機能を高めることができる。
【００２３】
また、本発明の電気部品は、前記ベース部の外周部には、下側外方へ延設し延設方向に向けて厚さが薄くなるように形成された傘部を有することを特徴としている。
【００２４】
これによれば、電気部品が被取付部に取り付けられた際に、被取付部により、この傘部が上方かつ外側へ押し上げられて被取付部に圧接されることとなる。このため、カバー部材と被取付部との密着構造をより一層確実なものとすることができる。しかも傘部の先端側が薄くなっているので、カバー部材が被取付部に装着される際に、ベース部と被取付部間の空気を容易に逃がすことができ、カバー部材と被取付部との密着構造をより一層確実なものとすることができる。これらのことにより、より一層益々防水機能を高めることができる。
【００２５】
また、本発明の電気部品は、前記ケースには、前記被取付部に係合可能な係合突部を有する係合部材が、平面視して前記鍔部の内側に設けられていることを特徴としている。
【００２６】
これによれば、電気部品を被取付部に取り付ける機構（係合部材）も含めて、鍔部に装着されたカバー部材によって、確実に被取付部の取付孔を覆うことができる。このことにより、電気部品の防水性能をより高めることができる。
【００２７】
また、本発明の電気部品は、前記ケースは、前記開口が設けられ前記取付孔よりも外形が大きく前記被取付部の一方側に配設される上ケース部と、前記上ケース部に連続して形成され前記取付孔に挿通可能で前記被取付部の他方側に配設される下ケース部と、を有し、前記開口に連続して前記上ケース部と前記下ケース部とで形成されるとともに前記操作部材を収納可能な収容部を有し、前記係合部材が、下端部が前記下ケース部の外周を形成する外壁部に繋がって弾性変形可能であるとともに、上端部が前記上ケース部の上方まで延在しており、該上端部に、前記カバー部材を介して操作可能な把持部が設けられていることを特徴としている。
【００２８】
これによれば、電気部品を被取付部に取り付ける際には、カバー部材の外側から把持部を収容部側に揺動しながら係合突部を被取付部の取付孔に挿入し、その後、把持部の揺動を初期に戻すことで、係合突部と被取付部とを容易に係合させることができる。一方、電気部品を被取付部に取り付けた後に、カバー部材の外側からカバー部材越しに把持部を収容部側に揺動することで、係合突部と被取付部との係合を容易に外すことができ、電気部品を被取付部から容易に外すことができる。これらのことから、簡易な構成でありながら、電気部品を容易に脱着することができる。
【００２９】
また、本発明の電気部品は、前記下ケース部の前記外壁部には、前記上ケース部側の位置に凹部が設けられており、前記係合部材が該凹部の下方に位置する底面から延設されていることを特徴としている。
【００３０】
これによれば、外壁部のいずれかから外方に延設してＬ字状に屈曲する場合と比較して、より内側に係合部材を配置することができる。このため、上ケース部内に係合部材を延設させやすく、把持部を容易にカバー部材内に収めることができる。
【００３１】
また、本発明の電気部品は、前記係合部材は、前記収容部を挟んで対向する位置に、当該収容部側へ揺動可能にそれぞれ設けられていることを特徴としている。
【００３２】
これによれば、係合部材が均等に被取付部を圧接するようになる。このため、係合突部によりケースを確実に被取付部に固定できるとともに、被取付部に対して傾くことなくケースを保持することができる。このことにより、簡易な構成でありながら、確実に且つ容易に電気部品の装着を行うことができ、カバー部材と被取付部との密着構造を確実なものとし、防水機能を高めることができる。
【００３３】
また、本発明の電気部品は、前記カバー部材が不透明な材質からなることを特徴としている。
【００３４】
これによれば、ユーザ側からはカバー部材の内側に係合部材の把持部が突出していることが分からない。このため、例えば、修理業者のように係合部材の存在を知る人以外には取り外し方が分かりにくく、ユーザにより不用意に取り外される虞を少なくすることができる。
【００３５】
また、本発明の電気部品は、前記検出手段が、前記ケース内に収容され前記操作部材と一体に動作可能な可動接点部材と、前記ケース内に収容され前記可動接点部材と接触可能な固定接点部材と、を有することを特徴としている。
【００３６】
これによれば、操作部材が操作されることに伴い、可動接点部材と固定接点部材が接離するスイッチとして機能する。しかも、検出手段がケース内に収容されているので、確実に防水を行うことができる。これらのことにより、簡易な構成でありながら、スイッチ機能を有し防水構造を備えた電気部品を提供することができる。
【００３７】
また、本発明の電気部品は、前記固定接点部材は、互いに電気的に絶縁された第１固定接点部と第２固定接点部を有し、前記第１固定接点部は、外部機器との接続のための取出端子と導通しており、前記第２固定接点部は、金属板からなる端子部材と導通しており、該端子部材の側端面は、前記被取付部と当接可能で前記ケースの側面部から露出した露出部を有しており、前記露出部は、前記カバー部材の内側に位置していることを特徴としている。
【００３８】
これによれば、取出端子から、第１固定接点部、可動接点部材、第２固定接点部、端子部材を介して、被取付部まで導通させることができる。このため、電気部品において外部端子（取出端子）を１つにすることができる。
【００３９】
また、本発明の電気部品は、前記固定接点部材が互いに電気的に絶縁された第１固定接点部と第２固定接点部を有し、前記第１固定接点部が外部機器との接続のための第１取出端子と導通しているとともに、前記第２固定接点部が前記外部機器との接続のための第２取出端子と導通しており、前記第１取出端子及び前記第２取出端子が前記ケースの前記他方側から露出していることを特徴としている。
【００４０】
これによれば、第１取出端子及び第２取出端子ともに、防水された環境下に置かれることとなる。このため、片方の端子（マイナス電極板９０２）が厳しい環境下に晒される従来例と比較して、第１取出端子及び第２取出端子が錆びにくくなる。このことにより、導通不良の発生を極力低減することができるスイッチ機能を有し防水構造を備えた電気部品を提供することができる。
【発明の効果】
【００４１】
本発明の電気部品は、従来例のようなアンダーカット形状部分をカバー部材に設ける必要がないので、カバー部材を作製するための金型構造を簡略化することができる。また、カバー部材を金型から外すときに無理な引き抜きをしなくても良いので、削れカスも発生しにくく、削れカスによる不具合の発生を防止することができる。これらのことにより、簡易な構成でありながら、防水構造を備えた電気部品を提供することができる。
【図面の簡単な説明】
【００４２】
【図１】本発明の第１実施形態に係わる電気部品を説明する分解斜視図である。
【図２】本発明の第１実施形態に係わる電気部品を説明する斜視図である。
【図３】本発明の第１実施形態に係わる電気部品を説明する図であって、図３（ａ）は、図２をＹ２側から見た正面図であり、図３（ｂ）は、図２をＸ１側から見た側面図である。
【図４】本発明の第１実施形態に係わる電気部品を説明する図であって、図４（ａ）は、電気部品が取り付けられる被取付部の斜視図であり、図４（ｂ）は、電気部品が被取付部に取り付けられた状態を示した斜視図である。
【図５】本発明の第１実施形態に係わる電気部品を説明する図であって、図５（ａ）は、図４（ｂ）をＺ１側から見た上面図であり、図５（ｂ）は、図４（ｂ）をＹ２側から見た正面図である。
【図６】本発明の第１実施形態に係わる電気部品を説明する図であって、図５（ａ）に示すＶＩ−ＶＩ線における断面図である。
【図７】本発明の第１実施形態に係わる電気部品を説明する図であって、図５（ａ）に示すＶＩＩ−ＶＩＩ線における断面図である。
【図８】本発明の第１実施形態に係わるケースを説明する図であって、図８（ａ）は、図１に示すＹ２側から見たケースの正面図であり、図８（ｂ）は、図１に示すＸ１側から見たケースの側面図である。
【図９】本発明の第１実施形態に係わるケースを説明する図であって、図６に示すＰ部分の拡大図である。
【図１０】本発明の第１実施形態に係わるケースを説明する図であって、図７に示すＱ部分の拡大図である。
【図１１】本発明の第１実施形態に係わる操作部材と検出手段を説明する図であって、図１１（ａ）は、操作部材と検出手段を示した斜視図であり、図１１（ｂ）は、図１１（ａ）をＹ２側から見た正面図である。
【図１２】本発明の第１実施形態に係わる操作部材と検出手段を説明する図であって、図１２（ａ）は、図１１（ａ）の固定接点部材を省略した斜視図であり、図１２（ｂ）は、図１１（ｂ）の操作部材を省略した正面図である。
【図１３】本発明の第１実施形態に係わるカバー部材を説明する図であって、図１３（ａ）は、カバー部材の上方斜視図であり、図１３（ｂ）は、カバー部材の下方斜視図である。
【図１４】本発明の第１実施形態に係わるカバー部材を説明する図であって、図１４（ａ）は、カバー部材の正面図であり、図１４（ｂ）は、カバー部材の縦断面図である。
【図１５】本発明の第２実施形態に係わる電気部品を説明する斜視図である。
【図１６】本発明の第２実施形態に係わる電気部品を説明する図であって、図１６（ａ）は、図１５をＹ２側から見た正面図であり、図１６（ｂ）は、図１５をＸ１側から見た側面図である。
【図１７】本発明の第２実施形態に係わる電気部品を説明する分解斜視図である。
【図１８】本発明の第２実施形態に係わる電気部品を説明する図であって、図６と同様な断面線における電気部品の縦断面図である。
【図１９】本発明の第２実施形態に係わる電気部品を説明する図であって、図７と同様な断面線における電気部品の縦断面図である。
【図２０】本発明の第２実施形態に係わる電気部品を説明する図であって、図１５に示すカバー部材を省略した斜視図である。
【図２１】本発明の第２実施形態に係わる電気部品を説明する図であって、図２０に示す操作部材及び付勢部材を更に省略した斜視図である。
【図２２】本発明の第２実施形態に係わる電気部品を説明する図であって、図２２（ａ）は、図２１に示すＺ１側から見た上面図であり、図２２（ｂ）は、図２１に示すＺ２側から見た底面図である。
【図２３】本発明の第２実施形態に係わる電気部品を説明する図であって、図２３（ａ）は、図２１に示すＹ２側から見た正面図であり、図２３（ｂ）は、図２１に示すＸ１側から見た側面図である。
【図２４】本発明の第２実施形態に係わるケースを説明する図であって、図１８に示すＲ部分の拡大図である。
【図２５】本発明の第２実施形態に係わる検出手段、端子部材及び取出端子を説明する図であって、図２５（ａ）は、図１７に示すＸ１とＹ２の中間側から見た上方斜視図であり、図２５（ｂ）は、図２５（ａ）とは反対側から見た上方斜視図である。
【図２６】本発明の第２実施形態に係わる端子部材を説明する図であって、図１９に示すＳ部分の拡大図である。
【図２７】従来例の車両用防水プッシュスイッチを示す縦断面図である。
【発明を実施するための形態】
【００４３】
以下、本発明の実施の形態について図面を参照して説明する。
【００４４】
［第１実施形態］
本発明の第１実施形態では、本発明の電気部品１００について、図面を用いて説明する。なお、本発明の第１実施形態において、電気部品１００はスイッチ装置ではあるが、本発明は、これに限るものではない。
【００４５】
図１は、本発明の第１実施形態に係わる電気部品１００を説明する分解斜視図である。図２は、電気部品１００の斜視図である。図３は、本発明の第１実施形態の電気部品１００を説明する図であって、図３（ａ）は、図２をＹ２側から見た正面図であり、図３（ｂ）は、図２をＸ１側から見た側面図である。図４は、本発明の第１実施形態の電気部品１００を説明する図であって、図４（ａ）は、電気部品１００が取り付けられる被取付部５００の斜視図であり、図４（ｂ）は、電気部品１００が被取付部５００に取り付けられた状態を示した斜視図である。図５は、本発明の第１実施形態の電気部品１００を説明する図であって、図５（ａ）は、図４（ｂ）をＺ１側から見た上面図であり、図５（ｂ）は、図４（ｂ）をＹ２側から見た正面図である。なお、説明を分かり易くするため、図４及び図５では、被取付部５００の一部のみを示している。図６は、図５（ａ）に示すＶＩ−ＶＩ線における断面図である。図７は、図５（ａ）に示すＶＩＩ−ＶＩＩ線における断面図である。
【００４６】
本発明の第１実施形態の電気部品１００は、図２及び図３に示すような外観を呈し、図１、図６及び図７に示すように、一方に開口Ｋ１ｈが形成されたケースＫ１と、上下方向（図６及び図７に示すＺ方向）に動作可能な操作部材Ｓ３と、操作部材Ｓ３の動作を検出する検出手段Ｍ５と（図７では図示されていない）、開口Ｋ１ｈ側を覆うようにケースＫ１に装着されるカバー部材Ｃ６と、外部機器との電気的な接続のための取出端子ＴＡ９と（図７では図示されていない）、を備えて構成されている。他に、電気部品１００は、本発明の第１実施形態では、操作部材Ｓ３を一方側（図６及び図７に示すＺ１側）に付勢する付勢部材Ｆ４と、取出端子ＴＡ９の一部を露出するとともに保持するコネクタハウジングＨ８と、を備えている。
【００４７】
そして、電気部品１００は、図４（ａ）に示す被取付部５００の取付孔５００ｈに、ケースＫ１の下方側（他方側）及びコネクタハウジングＨ８が挿入されて、図４（ｂ）及び図５に示すように、被取付部５００に取り付けられる。その際には、電気部品１００のカバー部材Ｃ６が被取付部５００の一方側（図５に示すＺ１側）に配設されるとともに、取出端子ＴＡ９を保持するコネクタハウジングＨ８が被取付部５００の他方側（図５に示すＺ２側）に配設されるようになる。なお、この被取付部５００が屋外で使用または屋外に設置される機器のハウジングの場合、被取付部５００の一方側が外部環境に晒される側で、被取付部５００の他方側がハウジングの内部に位置して外部環境から保護される側である。また、被取付部５００は、板状の金属材（金属板）であるのが一般的である。
【００４８】
次に、電気部品１００の各構成部品について、図面を用いて詳細に説明する。
【００４９】
先ず、電気部品１００のケースＫ１について説明する。図８（ａ）は、図１のケースＫ１をＹ２側から見た正面図であり、図８（ｂ）は、図１のケースＫ１をＸ１側から見た側面図である。なお、図８では、ケースＫ１と一体に成形されたコネクタハウジングＨ８も図示している。図９は、図６に示すＰ部分の拡大断面図である。図１０は、図７に示すＱ部分の拡大断面図である。
【００５０】
電気部品１００のケースＫ１は、ポリブチレンテレフタレート樹脂（ＰＢＴ、polybutyleneterephtalate）等の合成樹脂材を用いて射出成形されて作製されており、図８に示すような外観を呈し、一方（図８に示すＺ１方向）に開口Ｋ１ｈが形成された上ケース部１１と、上ケース部１１に連続して他方側（図８に示すＺ２方向側）に形成された下ケース部５１と、から主に構成されている。そして、電気部品１００が被取付部５００に取り付けられた際には、上ケース部１１が被取付部５００の一方側（図８に示すＺ１方向側）に配設されるとともに、下ケース部５１が取付孔５００ｈに挿入されて被取付部５００の他方側に配設される。なお、本発明の第１実施形態では、ケースＫ１と同時に、取出端子ＴＡ９を保持するコネクタハウジングＨ８も一体に射出成形されている。
【００５１】
また、ケースＫ１には、図６及び図７に示すように、上ケース部１１と下ケース部５１とで形成された収容部Ｋ１ｓが開口Ｋ１ｈに連続して形成されており、この収容部Ｋ１ｓに操作部材Ｓ３が収納されている。そして、ケースＫ１は、操作部材Ｓ３の上下方向（図６及び図７に示すＺ方向）への動作を可能に操作部材Ｓ３を支持している。
【００５２】
また、ケースＫ１には、図６に示すように、下ケース部５１から上方（図６に示すＺ１方向）に向けて延設された係合部材７１を有しており、電気部品１００が被取付部５００に取り付けられた際には、この係合部材７１が被取付部５００と係合して、電気部品１００が被取付部５００に固定される。
【００５３】
次に、ケースＫ１のそれぞれの構成要素について詳細に説明する。
【００５４】
先ず、ケースＫ１の上ケース部１１は、図８（ａ）に示すように、側面視して、下ケース部５１よりも側方（図８（ａ）に示すＸ方向）へ突出した突出部１１ｔと、突出部１１ｔより更に側方に突出した鍔部１１ｖと、を有しており、突出部１１ｔ及び鍔部１１ｖのいずれも、取付孔５００ｈよりも外形が大きく形成されて、被取付部５００の取付孔５００ｈに挿入されないようになっている。
【００５５】
上ケース部１１の突出部１１ｔは、図６及び図９に示すように、被取付部５００の取付孔５００ｈの縁部で、被取付部５００の一方側の面と対向若しくは当接しているとともに、カバー部材Ｃ６（具体的には後述するベース部１６）と当接している。なお、本発明の第１実施形態では、この突出部１１ｔは、一方向（図８（ａ）に示すＸ方向）の両側のみ設けられており、一方向と直交する直交方向（図８（ｂ）に示すＹ方向）には設けられていないが、これに限るものではない。例えば四方に突出して設けられても良いし、全周に亘って設けられても良い。
【００５６】
上ケース部１１の鍔部１１ｖは、図１に示すように、開口Ｋ１ｈ側から平面視して、ケースＫ１の外縁から外方へ突出して全周に亘って形成されており、電気部品１００が被取付部５００に取り付けられた際には、図６、図７、図９及び図１０に示すように、カバー部材Ｃ６（具体的には後述するベース部１６）を挟持できるように、被取付部５００の一方側の面と間隔を有して対向する位置に配設されている。なお、鍔部１１ｖは、外形が円形形状のリング状に形成されているが、これに限るものではなく、例えば楕円形状であっても良いし、一部に切り欠けがあっても良い。
【００５７】
また、鍔部１１ｖの上面には、図９及び図１０に示すように、上方（図９及び図１０に示すＺ１方向）に向けて延設された段差部１１ｄが形成されており、この段差部１１ｄにおけるカバー部材Ｃ６（具体的には後述する蓋部５６のドーム部５６ｄ）と対向する位置、つまり鍔部１１ｖの上面における内周側の部分を第１規制部１１ｚとして用いている。なお、この段差部１１ｄは、図１に示すように、鍔部１１ｖの全周に亘って形成されているが、これに限るものではなく、例えば一部に切り欠けがあっても良い。
【００５８】
次に、ケースＫ１の下ケース部５１は、図１及び図８に示すように、外観が４面を有する矩形状で、上ケース部１１とで構成された収容部Ｋ１ｓを有した箱状形状をしている。また、下ケース部５１の外周を形成する外壁部５１ｗが被取付部５００の取付孔５００ｈの開口形状より小さく構成されているので、下ケース部５１は、取付孔５００ｈに挿通可能となっており、電気部品１００が被取付部５００に取り付けられた際には、図４（ｂ）及び図５（ｂ）に示すように、被取付部５００の他方側に配設されることとなる。
【００５９】
最後に、ケースＫ１の係合部材７１は、図１及び図８（ｂ）に示すように、下ケース部５１の外壁部５１ｗの端部５１ｅ（上端）から上方に向けて延設されて設けられている。特に、第１実施形態では、図８（ｂ）に示すように、下ケース部５１の外壁部５１ｗの上ケース部１１側に位置するＵ字状の凹部に設けられており、係合部材７１が凹部の下方に位置する底面から上方へ延設されている。これにより、外壁部５１ｗのいずれかから外方に延設してＬ字状に屈曲する場合と比較して、より内側に係合部材７１を配置することができ、小型化を図ることができる。
【００６０】
また、係合部材７１は、図６に示すように、収容部Ｋ１ｓを挟んで対向する位置にそれぞれ（２つ）配設されており、平面視して、鍔部１１ｖの内側に設けられている。これにより、電気部品１００を被取付部５００に取り付ける機構（係合部材７１）も含めて、鍔部１１ｖに装着されたカバー部材Ｃ６によって、確実に被取付部５００の取付孔５００ｈを覆うことができる。
【００６１】
また、係合部材７１は、図６及び図９に示すように、係合部材７１の内側に空間が設けられているので、外壁部５１ｗの端部５１ｅ（上端）を支点として、収容部Ｋ１ｓ側へ揺動可能になっている。
【００６２】
また、係合部材７１には、図６に示すように、側面視して（図８（ａ）を参照）、取付孔５００ｈ（図４（ａ）を参照）の縁部に接触可能となるように、側方側に突出した係合突部７１ｋを有しており、この係合突部７１ｋは、上ケース部１１から下方側（図６に示すＺ２方向側）に設けられ、被取付部５００の他方側に配設されるようになっている。
【００６３】
これにより、係合突部７１ｋを有した係合部材７１が収容部Ｋ１ｓを挟んで対向する位置にそれぞれ設けられているので、係合部材７１が均等に被取付部５００を圧接するようになる。このため、係合突部７１ｋによりケースＫ１を確実に被取付部５００に固定できるとともに、被取付部５００に対して傾くことなくケースＫ１を保持することができる。このことにより、簡易な構成でありながら、確実に且つ容易に電気部品１００の装着を行うことができ、カバー部材Ｃ６と被取付部５００との密着構造を確実なものとし、防水機能を高めることができる。
【００６４】
また、係合部材７１の係合突部７１ｋは、図９に示すように、被取付部５００と対向して設けられた当接面７１ｔと、下方から上方へ向うに従って下ケース部５１の外壁部５１ｗから徐々に離間するように形成されたガイド面７１ｇと、を有して形成されている。
【００６５】
これにより、ケースＫ１を被取付部５００に挿入する際に、このガイド面７１ｇが被取付部５００の取付孔５００ｈの縁部を滑らかに摺動するとともに、係合部材７１が揺動方向の内向きに向けて揺動するようになる。そして、係合突部７１ｋが取付孔５００ｈに全て挿入された際には、係合部材７１が揺動方向の外向きに向けて揺動し、当接面７１ｔが被取付部５００と対向するようになる。このようにして、電気部品１００が被取付部５００に取り付けられた際には、図５（ｂ）、図６、図８（ａ）及び図９に示すように、この係合部材７１が被取付部５００と係合して、電気部品１００が被取付部５００に固定されるようになる。つまり、所謂スナップイン係合が容易に行われる。
【００６６】
また、２つの係合部材７１に設けられたそれぞれの係合突部７１ｋは、平面視して、同一円周上でかつ円周を等分割する位置に配設されている。つまり、本発明の第１実施形態では、２つの係合突部７１ｋなので、円周を半分に分割する位置（対向する位置）に２つの係合突部７１ｋを設ける構成とした。
【００６７】
これにより、上述したように、２つの係合突部７１ｋが被取付部５００と均等に圧接するようになる。このため、ケースＫ１を確実に被取付部５００に固定できるとともに、被取付部５００に対して傾くことなくケースＫ１を保持することができる。なお、本発明の第１実施形態では、対向する位置に２つの係合部材７１を設ける構成としたが、これに限らず、３つや４つ等の個数を設ける構成でも良い。その際には、複数の係合部材７１は、平面視して（上面視して）、同一円周上でかつ円周を等分割する位置にバランス良く配設されているのが好ましい。つまり、云うまでもないが、例えば、係合突部７１ｋが３つの場合は１２０°に分割する位置に、係合突部７１ｋが４つの場合は９０°に分割する位置に、それぞれ配設される。以上のように、簡易な構成でありながら容易に電気部品１００の装着を行うことができる。
【００６８】
次に、電気部品１００の操作部材Ｓ３及び検出手段Ｍ５について説明する。
【００６９】
先ず、電気部品１００の操作部材Ｓ３について説明する。図１１（ａ）は、操作部材Ｓ３と検出手段Ｍ５を示した斜視図であり、図１１（ｂ）は、図１１（ａ）をＹ２側から見た正面図である。図１２（ａ）は、図１１（ａ）の固定接点部材５Ｂを省略した斜視図であり、図１２（ｂ）は、図１１（ｂ）の操作部材Ｓ３を省略した正面図である。
【００７０】
電気部品１００の操作部材Ｓ３は、ＡＢＳ樹脂（ＡＢＳ、acrylonitrile butadiene styrene copolymer）やポリアセタール樹脂（ＰＯＭ、polyoxymethylene）等の合成樹脂を用いて射出成形されて作製されており、図１１に示すような直方体状の外観を呈し、下方側が開放した箱状形状の基部１３と、基部１３の上面から上方に延設された円柱形状の操作部５３と、から構成されている。そして、電気部品１００が組み立てられた際には、図６及び図７に示すように、操作部材Ｓ３の基部１３の上方側と操作部５３とが、ケースＫ１の開口Ｋ１ｈから上方に突出して配設されるとともに、カバー部材Ｃ６の内側に収容される。
【００７１】
また、操作部５３の上端部分がカバー部材Ｃ６の内側（具体的には後述する蓋部５６の頂部に設けられた押子部５６ｐの内側）と当接して配設されているので、カバー部材Ｃ６に対して押圧操作が行われると、操作部材Ｓ３が下方向へ動作するようになる。また、図６及び図７に示すように、基部１３の内部には、付勢部材Ｆ４（具体的には、本発明の第１実施形態では、コイルばね）の一方側が収納されており、この付勢部材Ｆ４によって、操作部材Ｓ３は、一方側（カバー部材Ｃ６の頂部側）に付勢されている。これにより、付勢部材Ｆ４の反発力に抗して操作部材Ｓ３が下方向へ動作された後に、カバー部材Ｃ６に対して押圧操作が解除されると、操作部材Ｓ３が上方向へ動作するようになる。
【００７２】
この操作部材Ｓ３の上下方向へ滑らかな動作を可能としているのは、操作部材Ｓ３の基部１３の側壁に上下方向に形成された凹溝部１３ｒ（図１１を参照）と、ケースＫ１の収容部Ｋ１ｓに臨んで内壁に設けられた突部Ｋ１ｔ（図１及び図７を参照）とが、係合しているからである。また、操作部材Ｓ３の基部１３の側壁には、側方に突出した爪部１３ｍ（図１１を参照）が形成されており、詳細な図示はしていないが、この爪部１３ｍは、ケースＫ１の内壁の受部と係合されて、操作部材Ｓ３の過剰な上方向への移動を規制している。
【００７３】
次に、電気部品１００の検出手段Ｍ５について説明する。検出手段Ｍ５は、図１に示すように、操作部材Ｓ３と一体に動作可能な可動接点部材５Ａと、可動接点部材５Ａと接触可能な２つの固定接点部材５Ｂと、を有して構成されている。また、可動接点部材５Ａ及び固定接点部材５Ｂは、金属板を用いており、切断加工や曲げ加工等を施して作製されている。なお、本発明の第１実施形態では、２つの固定接点部材５Ｂは、互いに電気的に絶縁された第１固定接点部Ｂ１５と第２固定接点部Ｂ２５とで構成されている。また、検出手段Ｍ５の可動接点部材５Ａ及び２つの固定接点部材５Ｂ（第１固定接点部Ｂ１５及び第２固定接点部Ｂ２５）は、ケースＫ１内に収容されている。
【００７４】
そして、電気部品１００が組み立てられた際には、図１２（ａ）に示すように、可動接点部材５Ａは、操作部材Ｓ３の基部１３の側壁に固定され、図１２（ｂ）に示すように、可動接点部材５Ａの２つの摺動子のそれぞれが、第１固定接点部Ｂ１５及び第２固定接点部Ｂ２５と当接する位置に配設される（図１２（ｂ）では、第２固定接点部Ｂ２５のみが図示されている）。これにより、第１固定接点部Ｂ１５と第２固定接点部Ｂ２５とが可動接点部材５Ａを介して電気的に接続された状態、所謂クローズ状態となる。
【００７５】
そして、カバー部材Ｃ６を介して操作部材Ｓ３に対して下方に向けて押圧操作が行われると、可動接点部材５Ａの摺動子は、第１固定接点部Ｂ１５及び第２固定接点部Ｂ２５と離間するようになる。これにより、第１固定接点部Ｂ１５と第２固定接点部Ｂ２５とが電気的に切断された状態、所謂オープン状態となる。
【００７６】
このようにして、本発明の第１実施形態では、可動接点部材５Ａ及び２つの固定接点部材５Ｂ（第１固定接点部Ｂ１５及び第２固定接点部Ｂ２５）を用いて、可動接点部材５Ａと２つの固定接点部材５Ｂとを接離させることにより、検出手段Ｍ５を構成している。そして、この検出手段Ｍ５によって、操作部材Ｓ３が操作されることに伴う操作部材Ｓ３の動作を検出して、オープン状態とクローズ状態との切り替えを行えるスイッチ装置として機能させている。しかも、この検出手段Ｍ５がケースＫ１内に収容されているので、カバー部材Ｃ６により、確実に検出手段Ｍ５の防水を行うことができる。
【００７７】
次に、電気部品１００のカバー部材Ｃ６について説明する。図１３（ａ）は、カバー部材Ｃ６の上方斜視図であり、図１３（ｂ）は、カバー部材Ｃ６の下方斜視図である。図１４（ａ）は、カバー部材Ｃ６の正面図であり、図１４（ｂ）は、カバー部材Ｃ６の縦断面図である。なお、図１３及び図１４においては、ケースＫ１に装着されていない状態におけるカバー部材Ｃ６を示している。
【００７８】
電気部品１００のカバー部材Ｃ６は、防水性と弾性を有した材質である合成ゴムをトランスファー成形して形成しており、図１３及び図１４に示すように、孔部１６ｋを有して板状に形成されたベース部１６と、孔部１６ｋに臨むベース部１６の内側の縁部から延設され弾性変形可能な筒状部３６と、筒状部３６における孔部１６ｋと対向する側を塞ぐ蓋部５６と、ベース部１６の外縁から上方に突出して筒状に形成された外周壁部７６と、を有して構成されている。なお、カバー部材Ｃ６がケースＫ１に装着されていない状態において、筒状部３６は、円筒形状に形成されている。
【００７９】
そして、カバー部材Ｃ６は、図６及び図７に示すように、孔部１６ｋ（図１３（ｂ）及び図１４（ｂ）を参照）から筒状部３６の内部の空間にかけて、ケースＫ１の開口Ｋ１ｈ側が挿入されて、ケースＫ１（上ケース部１１）の開口Ｋ１ｈ側を覆っている。その際には、カバー部材Ｃ６がケースＫ１（上ケース部１１）に装着される前の状態において、上ケース部１１の鍔部１１ｖの外形がカバー部材Ｃ６の筒状部３６の内形より大きいので、筒状部３６が鍔部１１ｖの円形形状の外形に沿って弾性変形して、ケースＫ１に装着されるようになる。つまり、電気部品１００が被取付部５００に取り付けられた際には、被取付部５００と鍔部１１ｖとの間に、筒状部３６の一部とベース部１６の一部とが挟持されて、カバー部材Ｃ６に所謂アンダーカット部が明確に形成されることとなる。
【００８０】
これにより、従来例のようなアンダーカット形状部分をカバー部材Ｃ６に予め設ける必要がなく、カバー部材Ｃ６を防水のための部材として用いることができる。このことにより、カバー部材Ｃ６を作製するための金型構造を簡略化することができるとともに、カバー部材Ｃ６を成形する際に、カバー部材Ｃ６を金型から外すときに無理な引き抜きをしなくても良いので、削れカスも発生しにくく、削れカスによる不具合の発生を防止することができる。
【００８１】
また、電気部品１００が被取付部５００に取り付けられた際には、図６及び図７に示すように、カバー部材Ｃ６が取付孔５００ｈを覆うとともに、図９及び図１０に示すように、鍔部１１ｖの外形に沿って変形した筒状部３６の一部及びベース部１６の一部が鍔部１１ｖと被取付部５００とにより圧接挟持される。このため、ケースＫ１の他方側が挿入された被取付部５００の取付孔５００ｈを覆うカバー部材Ｃ６でケースＫ１の開口Ｋ１ｈ側を防水することができる。
【００８２】
次に、カバー部材Ｃ６のそれぞれの構成要素について詳細に説明する。
【００８３】
先ず、カバー部材Ｃ６のベース部１６は、図１３（ｂ）及び図１４（ｂ）に示すように、円筒形状の孔部１６ｋを有したリング形状に形成されており、電気部品１００が被取付部５００に取り付けられた際には、図６及び図７に示すように、被取付部５００の一方側の面と当接する。ここで云う孔部１６ｋとは、リング形状をなしたベース部１６の内側に位置する部分の空間を指している。
【００８４】
また、ベース部１６の筒状部３６が無い側（下側）には、図１３（ｂ）に示すように、孔部１６ｋの全周に沿って環状に設けられベース部１６の下面から下方に突出した突設部１６ｔを有している。これにより、電気部品１００が被取付部５００に取り付けられた際に、この突設部１６ｔが優先して被取付部５００に付勢されて圧接されるようになる。
【００８５】
更に、突設部１６ｔの少なくとも一部は、平面視して、鍔部１１ｖと重なっている（図９及び図１０を参照）。このため、図９及び図１０に示すように、電気部品１００が被取付部５００に取り付けられて鍔部１１ｖが下方に押し付けられた際には、筒状部３６を介してベース部１６が下方に付勢され、この突設部１６ｔが被取付部５００に付勢されて確実に圧接されるようになる。このことにより、カバー部材Ｃ６と被取付部５００との密着構造をより確実なものとし、より防水機能を高めることができる。なお、本発明の第１実施形態では、平面視して、突設部１６ｔが鍔部１１ｖと全周に亘って重なって構成されているので、カバー部材Ｃ６と被取付部５００との密着構造をより確実なものとしている。
【００８６】
また、ベース部１６の外側下端の外周部には、図１４（ｂ）に示すように、縦断面視して、下側外方へ延設し延設方向（下側外方向）に向けて厚さが薄くなるように形成された傘部１６ａが全周に亘って設けられている。これにより、電気部品１００が被取付部５００に取り付けられた際に、被取付部５００の上方側の面により、この傘部１６ａが上方かつ外側（側方）へ押し広げられて被取付部５００に圧接されることとなる（図１４（ｂ）と図１０とを参照）。このため、カバー部材Ｃ６と被取付部５００との密着構造をより一層確実なものとすることができる。しかも傘部１６ａの先端側が薄くなっているので、カバー部材Ｃ６が被取付部５００に装着される際に、ベース部１６と被取付部５００との間の空気を容易に逃がすことができ、カバー部材Ｃ６と被取付部５００との密着構造をより一層確実なものとすることができる。これらのことにより、より一層益々防水機能を高めることができる。
【００８７】
次に、カバー部材Ｃ６の筒状部３６は、図１４（ｂ）に示すように、孔部１６ｋに臨むベース部１６の内縁部の上面から延設されて形成されているとともに、ベース部１６よりも厚みが薄く充分な弾性変形ができるように形成されている。そして、詳細な図示はしていないが、カバー部材Ｃ６がケースＫ１に装着されていない状態において、筒状部３６の外形（外周径）が、蓋部５６側から平面視して、ケースＫ１（上ケース部１１）の鍔部１１ｖの外形（外周径）よりも小さく構成されている。このため、図６及び図７に示すように、カバー部材Ｃ６の孔部１６ｋ及び筒状部３６の内部の空間にかけてケースＫ１（上ケース部１１）が挿入された際には、筒状部３６が伸ばされて（弾性変形して）鍔部１１ｖの外形に沿って装着されるようになる。
【００８８】
また、カバー部材Ｃ６がケースＫ１（上ケース部１１）に装着された際には、図６、図７、図９及び図１０に示すように、筒状部３６の一部が鍔部１１ｖの外周部と外周壁部７６との間に位置するようになる。これにより、この外周壁部７６によって、鍔部１１ｖの外周部側（鍔部１１ｖの延出方向側）に位置する筒状部３６を外的要因、例えば物理的な衝撃等から保護することができる。
【００８９】
次に、カバー部材Ｃ６の蓋部５６は、図１３及び図１４に示すように、筒状部３６における孔部１６ｋと対向する側を塞ぐようにして形成され、筒状部３６から連続して形成されたドーム形状のドーム部５６ｄと、ドーム部５６ｄの頂部に設けられた円柱形状の押子部５６ｐと、から主に構成されている。
【００９０】
また、図９及び図１０に示すように、蓋部５６のドーム部５６ｄにおける筒状部３６側の下側部５６ｔは、蓋部５６と繋がっている位置から下方に向けて突出するように形成されている。そして、カバー部材Ｃ６がケースＫ１（上ケース部１１）に装着された際には、下側部５６ｔが上ケース部１１の鍔部１１ｖの段差部１１ｄと対向する位置、つまり第１規制部１１ｚの内側に配設されて、この下側部５６ｔにおける段差部１１ｄと対向する位置を第２規制部５６ｚとして用いている。このため、カバー部材Ｃ６をケースＫ１に装着する際に、第１規制部１１ｚと第２規制部５６ｚとが係合するようになる。
【００９１】
これにより、筒状部３６が鍔部１１ｖの外形に沿って弾性変形して鍔部１１ｖを覆うときに、蓋部５６が鍔部１１ｖの延出方向側に引っ張られて変形することを防止することができる。つまり、筒状部３６のみがより引っ張られるので、筒状部３６がより鍔部１１ｖに密着するように伸張して装着されるようになる。このことにより、筒状部３６と鍔部１１ｖとの間に生じる隙間を小さくすることができ、より筒状部３６を鍔部１１ｖに密着させることができる。更に、カバー部材Ｃ６をケースＫ１に装着する際や操作部材Ｓ３が操作される際に、蓋部５６が不所望に広がって変形するのを防止することができる。
【００９２】
また、図１４（ｂ）に示すように、蓋部５６の押子部５６ｐにおける筒状部３６側の内面には、凹状の窪み部５６ｒが設けられており、電気部品１００が組み立てられた際には、図６及び図７に示すように、操作部材Ｓ３の操作部５３がこの窪み部５６ｒに収容される。これにより、カバー部材Ｃ６に対して押圧操作や操作解除が行われた際に、操作部材Ｓ３の上下方向への動作を安定して行うことができる。
【００９３】
最後に、カバー部材Ｃ６の外周壁部７６は、図１３（ａ）及び図１４（ｂ）に示すように、ベース部１６の外側縁部の上面から上方（図１３及び図１４に示すＺ１方向）に向けて突出して設けられており、筒状部３６の周囲を囲むようにして筒状に形成されている。また、外周壁部７６は、図１４（ｂ）に示すように、筒状部３６より厚みが厚く構成されている。これにより、前述した鍔部１１ｖの外側に位置する筒状部３６における外的要因からの保護を確実に行うことができる。このことにより、例えば筒状部３６の破れ等の発生を防止することができ、カバー部材Ｃ６の耐久性を向上させることができる。
【００９４】
また、電気部品１００が被取付部５００に取り付けられた際には、外周壁部７６の突出方向（上方）の突出端７６ｅは、図６及び図７に示すように、縦断面視して、鍔部１１ｖの上面より上方に位置している。これにより、鍔部１１ｖの上面側（外周壁部７６の突出方向側）に位置する筒状部３６を外的要因から保護することができる。
【００９５】
更に、外周壁部７６の突出方向の突出端７６ｅは、図６及び図７に示すように、縦断面視して、ケースＫ１（上ケース部１１）より上方に位置している。これにより、何らかの外的要因により通常よりも操作ストロークが長くなるようなことが発生したとしても、外周壁部７６がストッパーの役割を果たし、操作部材Ｓ３を介してケースＫ１の内部に過度の衝撃が加わらないように保護することができる。このことにより、電気部品１００の耐久性をより向上させることができる。
【００９６】
最後に、本発明の第１実施形態に係わる電気部品１００のコネクタハウジングＨ８及び取出端子ＴＡ９について説明する。
【００９７】
先ず、電気部品１００のコネクタハウジングＨ８は、ケースＫ１と同時に射出成形されて、図１ないし図３に示すように、箱状形状に成形されてケースＫ１と一体に形成されている。なお、コネクタハウジングＨ８は、被取付部５００の取付孔５００ｈに挿入可能な大きさに形成されている。
【００９８】
また、コネクタハウジングＨ８には、外部機器との電気的な接続のための取出端子ＴＡ９が埋設されて固定されており、図３（ｂ）に示すように、取出端子ＴＡ９の一部がコネクタハウジングＨ８の開口部側に向けてコネクタハウジングＨ８の内部の空間に露出している。
【００９９】
次に、電気部品１００の取出端子ＴＡ９は、図１に示すように、検出手段Ｍ５の第１固定接点部Ｂ１５と導通された第１取出端子１９と、検出手段Ｍ５の第２固定接点部Ｂ２５と導通された第２取出端子２９と、から構成されており、図示しない相手側コネクタがコネクタハウジングＨ８に挿入されて、外部機器との電気的な接続が行われる。なお、第１取付端子１９は、第１固定接点部Ｂ１５と一体に形成されている。同様に、第２取付端子２９は、第２固定接点部Ｂ２５と一体に形成されている。
【０１００】
そして、この第１取出端子１９及び第２取出端子２９は、ケースＫ１（下ケース部５１）の他方側から露出するようにして配設されているので、電気部品１００が被取付部５００に取り付けられた際には、被取付部５００を挟んでカバー部材Ｃ６とは反対側に位置するようになる。これにより、第１取出端子１９及び第２取出端子２９ともに、防水された環境下に置かれることとなり、片方の端子（マイナス電極板９０２）が厳しい環境下に晒される従来例と比較して、第１取出端子１９及び第２取出端子２９が錆びにくくなる。このことにより、導通不良の発生を極力低減することができる。
【０１０１】
また、取出端子ＴＡ９は、固定接点部材５Ｂと一体にして作製されており、ケースＫ１及びコネクタハウジングＨ８を射出成形する際に、インサート成形されている。また、取出端子ＴＡ９は、電気的な接続の安定性のために、表面には、銀めっきが施されている。なお、取付端子ＴＡ９及び固定接点部材５Ｂは、圧入によって、コネクタハウジングＨ８を有するケースＫ１に取り付けられていても良い。
【０１０２】
以上のように構成された本発明の第１実施形態の電気部品１００における、効果について、以下に纏めて説明する。
【０１０３】
本発明の電気部品１００は、カバー部材Ｃ６が、孔部１６ｋを有して板状に形成されたベース部１６と、孔部１６ｋの内縁部から延設され弾性変形可能な筒状部３６と、筒状部３６における孔部１６ｋと対向する側を塞ぐ蓋部５６と、有しており、カバー部材Ｃ６の筒状部３６が鍔部１１ｖの外形に沿って弾性変形して装着されている構成とした。このため、従来例のようなアンダーカット形状部分をカバー部材Ｃ６に予め設ける必要がない。このことにより、カバー部材Ｃ６を作製するための金型構造を簡略化することができるとともに、金型からカバー部材Ｃ６を外すときに無理な引き抜きをしなくても良いので、削れカスも発生しにくく、削れカスによる不具合の発生を防止することができる。従って、簡易な構成でありながら、防水構造を備えた電気部品１００を提供することができる。
【０１０４】
また、鍔部１１ｖの外形に沿って変形した筒状部３６の一部及びベース部１６の一部が、鍔部１１ｖと被取付部５００とにより圧接挟持されるので、ケースＫ１の他方側が挿入された被取付部５００の取付孔５００ｈを覆うカバー部材Ｃ６でケースＫ１の開口Ｋ１ｈ側を防水することができる。このため、従来例のようにアンダーカット形状部分をカバー部材Ｃ６に設けない簡易な構成でありながら、防水を確実に行うことができる。
【０１０５】
また、カバー部材Ｃ６をケースＫ１に装着する際に、ケースＫ１の鍔部１１ｖに設けられた第１規制部１１ｚとカバー部材Ｃ６の蓋部５６に設けられた第２規制部５６ｚとが係合するので、筒状部３６が鍔部１１ｖの外形に沿って弾性変形して鍔部１１ｖを覆うときに、蓋部５６が鍔部１１ｖの延出方向側に引っ張られて変形することを防止することができる。このため、筒状部３６と鍔部１１ｖとの間に生じる隙間を小さくすることができ、より筒状部３６を鍔部１１ｖに密着させることができる。このことにより、より防水機能を高めることができる。また、蓋部５６の変形が防止されることで、カバー部材Ｃ６を介して操作部材Ｓ３が操作される際の操作性に悪影響を与えることがない。
【０１０６】
また、筒状部３６より厚みが厚い外周壁部７６とケースＫ１の鍔部１１ｖとの間に筒状部３６の一部が位置するので、鍔部１１ｖの外周部側（鍔部１１ｖの延出方向側）に位置する筒状部３６を外的要因、例えば物理的な衝撃等から保護することができる。このことにより、例えば筒状部３６の破れ等の発生を防止することができ、カバー部材Ｃ６の耐久性を向上させることができる。
【０１０７】
また、外周壁部７６の突出方向の突出端７６ｅが縦断面視して鍔部１１ｖの上面より上方に位置しているので、鍔部１１ｖの上面側（外周壁部７６の突出方向側）に位置する筒状部３６を外的要因から保護することができる。このことにより、例えば筒状部３６の破れ等の発生を防止することができ、カバー部材Ｃ６の耐久性をより向上させることができる。
【０１０８】
また、外周壁部７６の突出方向の突出端７６ｅは、縦断面視して、ケースＫ１より上方に位置しているので、何らかの外的要因により通常よりも操作ストロークが長くなるようなことが発生したとしても、外周壁部７６がストッパーの役割を果たし、操作部材Ｓ３を介してケースＫ１の内部に過度の衝撃が加わらないように保護することができる。このことにより、電気部品１００の耐久性をより向上させることができる。
【０１０９】
また、ベース部１６の筒状部３６が無い側（被取付部５００側）に設けられた環状の突設部１６ｔの少なくとも一部が、平面視して、鍔部１１ｖと重なっているので、電気部品１００が被取付部５００に取り付けられた際に、この突設部１６ｔが優先して被取付部５００に付勢されて圧接されるようになる。このことにより、カバー部材Ｃ６と被取付部５００との密着構造をより確実なものとし、より一層防水機能を高めることができる。
【０１１０】
また、ベース部１６の外周部には、下側外方へ延設し延設方向に向けて厚さが薄くなるように形成された傘部１６ａを有するので、電気部品１００が被取付部５００に取り付けられた際に、被取付部５００により、この傘部１６ａが上方かつ外側へ押し上げられて被取付部５００に圧接されることとなる。このため、カバー部材Ｃ６と被取付部５００との密着構造をより一層確実なものとすることができる。しかも傘部１６ａの先端側が薄くなっているので、カバー部材Ｃ６が被取付部５００に装着される際に、ベース部１６と被取付部５００間の空気を容易に逃がすことができ、カバー部材Ｃ６と被取付部５００との密着構造をより一層確実なものとすることができる。これらのことにより、より一層益々防水機能を高めることができる。
【０１１１】
また、被取付部５００に係合可能な係合突部７１ｋを有する係合部材７１が、鍔部１１ｖの内側に配置されるので、電気部品１００を被取付部５００に取り付ける機構（係合部材７１）も含めて、鍔部１１ｖに装着されたカバー部材Ｃ６によって、確実に被取付部５００の取付孔５００ｈを覆うことができる。このことにより、電気部品１００の防水性能をより高めることができる。
【０１１２】
また、検出手段Ｍ５が操作部材Ｓ３と一体に動作可能な可動接点部材５Ａと可動接点部材５Ａと接触可能な固定接点部材５Ｂを有しているので、操作部材Ｓ３が操作されることに伴い、可動接点部材５Ａと固定接点部材５Ｂが接離するスイッチとして機能する。しかも、検出手段Ｍ５がケースＫ１内に収容されているので、確実に防水を行うことができる。これらのことにより、簡易な構成でありながら、スイッチ機能を有し防水構造を備えた電気部品１００を提供することができる。
【０１１３】
また、第１固定接点部Ｂ１５に一体となって接続された第１取出端子１９及び第２固定接点部Ｂ２５に一体となって接続された第２取出端子２９が、ケースＫ１の他方側から露出するようにして配設されているので、電気部品１００が被取付部５００に取り付けられた際に、被取付部５００を挟んでカバー部材Ｃ６とは反対側に位置するようになる。このため、第１取出端子１９及び第２取出端子２９ともに、防水された環境下に置かれることとなり、片方の端子（マイナス電極板９０２）が厳しい環境下に晒される従来例と比較して、第１取出端子１９及び第２取出端子２９が錆びにくくなる。このことにより、導通不良の発生を極力低減することができるスイッチ機能を有し防水構造を備えた電気部品１００を提供することができる。
【０１１４】
［第２実施形態］
本発明の第２実施形態においても、スイッチ装置である本発明の電気部品２００について、図面を用いて説明する。
【０１１５】
図１５は、本発明の第２実施形態に係わる電気部品２００を説明する斜視図である。図１６は、本発明の第２実施形態に係わる電気部品２００を説明する図であって、図１６（ａ）は、図１５をＹ２側から見た正面図であり、図１６（ｂ）は、図１５をＸ１側から見た側面図である。図１７は、電気部品２００の分解斜視図である。図１８は、図６と同様な断面線における電気部品２００の縦断面図である。図１９は、図７と同様な断面線における電気部品２００の縦断面図である。また、第２実施形態の電気部品２００は、第１実施形態に対し、ケースＫ２１に設けられた係合部材２７１と端子部分の構成が異なる。なお、第１実施形態と同様な構成については、同一符号を付して詳細な説明は省略する。
【０１１６】
本発明の第２実施形態の電気部品２００は、図１５及び図１６に示すような外観を呈し、図１７、図１８及び図１９に示すように、一方に開口Ｋ１ｈが形成されたケースＫ２１と、上下方向（図１５及び図１６に示すＺ方向）に動作可能で開口Ｋ１ｈから突出する操作部材Ｓ３と、操作部材Ｓ３の動作を検出する検出手段Ｍ２５と、開口Ｋ１ｈ側を覆うようにケースＫ２１に装着されるカバー部材Ｃ６と、金属板からなる端子部材Ｔ７と、外部機器との電気的な接続のための取出端子ＴＡ２９と（図１９では図示されていない）、を備えて構成されている。他に、電気部品２００は、本発明の第２実施形態では、操作部材Ｓ３を一方側（図１５及び図１６に示すＺ１側）に付勢する付勢部材Ｆ４と、取出端子ＴＡ２９の一部を露出するとともに保持するコネクタハウジングＨ８と、を備えている。
【０１１７】
そして、電気部品２００は、図４（ａ）に示す被取付部５００の取付孔５００ｈに、ケースＫ２１の下方側（他方側）及びコネクタハウジングＨ８が挿入されて、図４（ｂ）に示すように、被取付部５００に取り付けられる。その際には、電気部品２００のカバー部材Ｃ６が被取付部５００の一方側（図４に示すＺ１側）に配設されて取付孔５００ｈを覆うとともに、取出端子ＴＡ２９を保持するコネクタハウジングＨ８が被取付部５００の他方側（図４に示すＺ２側）に配設されるようになる。なお、この被取付部５００が屋外で使用または屋外に設置される機器のハウジングの場合、被取付部５００の一方側が外部環境に晒される側で、被取付部５００の他方側がハウジングの内部に位置して外部環境から保護される側である。
【０１１８】
次に、電気部品２００の各構成部品について、第１実施形態と異なる部分を重点的に図面を用いて詳細に説明する。なお、操作部材Ｓ３、付勢部材Ｆ４及びコネクタハウジングＨ８については、第１実施形態と同様な構成を有しているのでここでの説明を省略する。
【０１１９】
先ず、電気部品２００のケースＫ２１について説明する。図２０は、図１５に示すカバー部材Ｃ６を省略した斜視図である。図２１は、図２０に示す操作部材Ｓ３及び付勢部材Ｆ４を更に省略した斜視図である。図２２（ａ）は、図２１に示すＺ１側から見た上面図であり、図２２（ｂ）は、図２１に示すＺ２側から見た底面図である。図２３（ａ）は、図２１に示すＹ２側から見た正面図であり、図２３（ｂ）は、図２１に示すＸ１側から見た側面図である。図２４は、図１８に示すＲ部分の拡大図である。
【０１２０】
電気部品２００のケースＫ２１は、第１実施形態と同様に、ポリブチレンテレフタレート樹脂（ＰＢＴ）等の合成樹脂材を用いて射出成形されて作製されており、図２１に示すように、一方（図２１に示すＺ１方向）に開口Ｋ１ｈが形成された上ケース部１１と、上ケース部１１に連続して他方側（図２１に示すＺ２方向側）に形成された下ケース部５１と、下ケース部５１から上方（図２１に示すＺ１方向）に向けて延設された係合部材２７１と、から主に構成されている。
【０１２１】
そして、電気部品２００が被取付部５００に取り付けられた際には、図２３に示すように、上ケース部１１が被取付部５００の一方側（図２３に示すＺ１方向側）に配設されるとともに、下ケース部５１が取付孔５００ｈに挿入されて被取付部５００の他方側（図２３に示すＺ２方向側）に配設される。なお、本発明の第２実施形態では、ケースＫ２１と同時に、取出端子ＴＡ２９を保持するコネクタハウジングＨ８も一体に射出成形されている。
【０１２２】
また、ケースＫ２１には、図１８及び図２１に示すように、上ケース部１１と下ケース部５１とで形成された収容部Ｋ１ｓが開口Ｋ１ｈに連続して形成されており、図２０に示すように、この収容部Ｋ１ｓに操作部材Ｓ３が収納されている。そして、ケースＫ２１は、操作部材Ｓ３の上下方向（図１８及び図１９に示すＺ方向）への動作を可能に操作部材Ｓ３を支持している。
【０１２３】
また、ケースＫ２１の側面部には、図１７に示すように、上ケース部１１と下ケース部５１とにまたがって形成されたＵ字状の凹溝Ｋ１ｕが形成されており、図２２（ａ）に示すように、凹溝Ｋ１ｕは、対向する位置に２箇所設けられている。この位置は、平面視（上面視）して、後述する係合部材２７１が設けられている位置と略直交している。つまり、それぞれ略９０°ずつズレた位置に、２つの凹溝Ｋ１ｕと２つの係合部材２７１が配設されていることとなる。
【０１２４】
次に、ケースＫ２１のそれぞれの構成要素について説明する。
【０１２５】
先ず、ケースＫ２１の上ケース部１１は、図２３（ａ）に示すように、側面視して、下ケース部５１よりも側方（図２３（ａ）に示すＸ方向）へ突出した突出部１１ｔと、突出部１１ｔより更に側方に突出した鍔部１１ｖと、を有している。言い換えると、突出部１１ｔは、図２２（ｂ）に示すように、下ケース部５１側から平面視（底面視）して、下ケース部５１より外方へ突出して形成されおり、鍔部１１ｖは、図２２（ａ）に示すように、開口Ｋ１ｈ側から平面視（上面透視）して、上ケース部１１（ケースＫ２１）の外縁から外方へ突出して全周に亘って形成されている。この突出部１１ｔ及び鍔部１１ｖのいずれも、取付孔５００ｈよりも外形が大きく形成されて、被取付部５００の取付孔５００ｈに挿入されないようになっている。
【０１２６】
また、上ケース部１１には、図２１及び図２２（ａ）に示すように、上面視して、収容部Ｋ１ｓを囲む位置に配設された２つの周辺収容部１１ｓが対向して設けられている。この２つの周辺収容部１１ｓは、図２２（ａ）に示すように、突出部１１ｔの一部を貫通しており、それぞれ係合部材２７１が配設されている。
【０１２７】
上ケース部１１の突出部１１ｔは、図２３に示すように、被取付部５００の取付孔５００ｈの縁部で、被取付部５００の一方側の面と対向若しくは当接しているとともに、図１８に示すように、カバー部材Ｃ６（具体的には後述するベース部１６）と当接している。なお、本発明の第２実施形態では、この突出部１１ｔは、図２２（ｂ）及び図２３に示すように、一方向（図２３（ａ）に示すＸ方向）の両側のみ設けられており、一方向と直交する直交方向（図２３（ｂ）に示すＹ方向）には設けられていないが、これに限るものではない。例えば四方に突出して設けられても良いし、全周に亘って設けられても良い。
【０１２８】
また、上ケース部１１の鍔部１１ｖの上面には、図２４に示すように、上方（図２４に示すＺ１方向）に向けて延設された段差部１１ｄが形成されており、この段差部１１ｄにおけるカバー部材Ｃ６（具体的には蓋部５６のドーム部５６ｄにおける第２規制部５６ｚ）と対向する位置を第１規制部１１ｚとして用いている。この第１規制部１１ｚは、鍔部１１ｖの上面における内周側に形成されている。なお、この段差部１１ｄは、図２０及び図２１に示すように、鍔部１１ｖの全周に亘って形成されているが、これに限るものではなく、例えば一部に切り欠けがあっても良い。
【０１２９】
次に、ケースＫ２１の下ケース部５１は、図２３に示すように、外観が４面を有する矩形状で、上ケース部１１とで構成された収容部Ｋ１ｓを有した箱状形状をしている。また、下ケース部５１の外周を形成する外壁部５１ｗが被取付部５００の取付孔５００ｈの開口形状より小さく構成されているので、下ケース部５１は、取付孔５００ｈに挿通可能となっており、電気部品２００が被取付部５００に取り付けられた際には、被取付部５００の他方側に配設されることとなる（図１８及び図２３を参照）。
【０１３０】
最後に、ケースＫ２１の係合部材２７１は、側面視して、図２３（ａ）に示すように、被取付部５００の取付孔５００ｈ（図２４を参照）の縁部に係合可能となるように側方側に突出した係合突部７１ｋと、上ケース部１１の上方まで延在した上端部に設けられた把持部２７１ｊと、を有している。
【０１３１】
そして、係合部材２７１は、図２１に示すように、収容部Ｋ１ｓを挟んで対向する位置に２つ配設されており、図２２（ａ）に示すように、平面視して、鍔部１１ｖの内側に設けられている。これにより、電気部品２００を被取付部５００に取り付ける機構（係合部材２７１）も含めて、鍔部１１ｖに装着されたカバー部材Ｃ６によって、確実に被取付部５００の取付孔５００ｈを覆うことができる。このことにより、電気部品２００の防水性能をより高めることができる。しかも、従来例の車両用防水プッシュスイッチ９００のように、ボディー９５０の孔と離れた位置の１箇所でネジ止めする機構と比較して、本発明の第２実施形態の電気部品２００は、被取付部５００の取付孔５００ｈの縁部の部分で係合されるので、確実に被取付部５００に係止されることとなる。このことにより、電気部品２００の防水性能をより一層高めることができる。
【０１３２】
また、係合部材２７１は、図１６（ｂ）及び図２３（ｂ）に示すように、下端部が下ケース部５１の外周を形成する外壁部５１ｗに繋がって設けられており、この外壁部５１ｗの凹部（段差部）の端部５１ｅ（上端）から上方に向けて延設されて、図２０及び図２１に示すように、周辺収容部１１ｓを貫いて上ケース部１１から上方（図２０に示すＺ１方向）に突出している。特に、第２実施形態においても第１実施形態と同様に、係合部材２７１は、図２３（ｂ）に示すように、下ケース部５１の外壁部５１ｗの上ケース部１１側に位置するＵ字状の凹部に設けられており、係合部材２７１が凹部の下方に位置する底面（端部５１ｅ）から延設されている。これにより、外壁部５１ｗのいずれかから外方に延設してＬ字状に屈曲する場合と比較して、より内側に係合部材２７１を配置することができ、小型化を図ることができる。
【０１３３】
また、係合部材２７１は、図１８に示すように、係合部材２７１の内側の位置に空間が設けられた状態で形成されており、外壁部５１ｗの端部５１ｅ（凹部の下方に位置する部分）を支点として、弾性変形しながら収容部Ｋ１ｓ側へ揺動できるようになっている。つまり、係合部材２７１は、下端部が下ケース部５１に繋がった弾性片によって形成されていると云える。
【０１３４】
次に、係合部材２７１の係合突部７１ｋと把持部２７１ｊについて、更に詳しく説明する。
【０１３５】
先ず、係合部材２７１の係合突部７１ｋは、図２３に示すように、上ケース部１１から下方側（図２３に示すＺ２方向側）に設けられ、被取付部５００の他方側に配設されるようになっている。そして、前述したように、係合突部７１ｋは、収容部Ｋ１ｓを挟んで対向する位置にそれぞれ設けられている。
【０１３６】
これにより、係合部材２７１が係合突部７１ｋにより均等に被取付部５００を圧接するようになる。このため、係合突部７１ｋによりケースＫ２１を確実に被取付部５００に固定できるとともに、被取付部５００に対して傾くことなくケースＫ２１を保持することができる。このことにより、簡易な構成でありながら、確実に且つ容易に電気部品２００の装着を行うことができ、カバー部材Ｃ６と被取付部５００との密着構造を確実なものとし、防水機能を高めることができる。
【０１３７】
また、２つの係合部材２７１に設けられたそれぞれの係合突部７１ｋは、平面視して、同一円周上でかつ円周を等分割する位置に配設されている。つまり、本発明の第２実施形態では、第１実施形態と同様に、２つの係合突部７１ｋなので、円周を半分に分割する位置（対向する位置）に２つの係合突部７１ｋを設ける構成とした。
【０１３８】
これにより、上述したように、２つの係合突部７１ｋが被取付部５００と均等に圧接するようになる。このため、ケースＫ２１を確実に被取付部５００に固定できるとともに、被取付部５００に対して傾くことなくケースＫ２１を保持することができる。なお、本発明の第２実施形態においても、対向する位置に２つの係合部材２７１を設ける構成としたが、これに限らず、３つや４つ等の個数を設ける構成でも良い。その際には、複数の係合部材２７１は、平面視して（上面視して）、同一円周上でかつ円周を等分割する位置にバランス良く配設されているのが好ましい。以上のように、簡易な構成でありながら容易に電気部品２００の装着を行うことができる。
【０１３９】
また、係合突部７１ｋは、図２４に示すように、板状の被取付部５００と対向して設けられた当接面７１ｔと、下方から上方へ向うに従って下ケース部５１の外壁部５１ｗから徐々に離間するように形成されたガイド面７１ｇと、を有して形成されている。
【０１４０】
これにより、ケースＫ２１を被取付部５００に挿入する際に、このガイド面７１ｇが被取付部５００の取付孔５００ｈの縁部を滑らかに摺動するとともに、係合部材２７１が揺動方向の内向きに向けて揺動するようになる。そして、係合突部７１ｋが取付孔５００ｈに全て挿入された際には、係合部材２７１が揺動方向の外向きに向けて揺動し、当接面７１ｔが被取付部５００と対向するようになる。このようにして、電気部品２００が被取付部５００に取り付けられた際には、図１８、図２３（ａ）及び図２４に示すように、この係合部材２７１が被取付部５００と係合して、電気部品２００が被取付部５００に固定されるようになる。つまり、所謂スナップイン係合が容易に行われる。
【０１４１】
次に、係合部材２７１の把持部２７１ｊは、図２３に示すように、上ケース部１１から上方に突出しているので、弾性を備えたカバー部材Ｃ６の外側から掴めるようになっている。そして、把持部２７１ｊが掴まれると、係合部材２７１は、下ケース部５１の端部５１ｅ（上端）を支点として、収容部Ｋ１ｓ側へ傾倒（揺動）するようになる。このように、係合部材２７１（把持部２７１ｊ）は、カバー部材Ｃ６を介して操作可能となっている。
【０１４２】
これにより、電気部品２００を被取付部５００に取り付ける際には、カバー部材Ｃ６の外側から把持部２７１ｊを収容部Ｋ１ｓ側に揺動しながら係合突部７１ｋを被取付部５００の取付孔５００ｈに挿入し、その後、把持部２７１ｊの揺動を初期に戻すことで、係合突部７１ｋと被取付部５００とを容易に係合させることができる。一方、電気部品２００を被取付部５００に取り付けた後に、カバー部材Ｃ６の外側からカバー部材Ｃ６越しに把持部２７１ｊを収容部Ｋ１ｓ側に揺動することで、係合突部７１ｋと被取付部５００との係合を容易に外すことができ、電気部品２００を被取付部５００から容易に外すことができる。これらのことから、簡易な構成でありながら、電気部品２００を容易に脱着することができる。特に、第２実施形態では、係合部材２７１が収容部Ｋ１ｓを挟んで対向する位置に一組設けられているので、両方の係合部材２７１の把持部２７１ｊを同時に掴むことができ、より脱着の作業性が良い。
【０１４３】
次に、電気部品２００のカバー部材Ｃ６について説明する。カバー部材Ｃ６も、操作部材Ｓ３、付勢部材Ｆ４及びコネクタハウジングＨ８と同様に、第１実施形態と同様な構成を有しているのだが、主要構成部品であるので、省略はしなく簡単に説明をする。
【０１４４】
電気部品２００のカバー部材Ｃ６は、防水性と弾性を有した材質である合成ゴムをトランスファー成形して形成しており、孔部１６ｋを有して板状に形成されたベース部１６と、孔部１６ｋに臨むベース部１６の縁部から延設され弾性変形可能な筒状部３６と、筒状部３６における孔部１６ｋと対向する側を塞ぐ蓋部５６と、ベース部１６の外縁から上方に突出して筒状に形成された外周壁部７６と、を有して構成されている。
【０１４５】
そして、カバー部材Ｃ６は、孔部１６ｋ（図１３（ｂ）及び図１４（ｂ）を参照）から筒状部３６の内部の空間にかけて、ケースＫ２１の開口Ｋ１ｈ側が挿入されて、ケースＫ２１（上ケース部１１）の開口Ｋ１ｈ側を覆っている。その際には、カバー部材Ｃ６がケースＫ２１（上ケース部１１）に装着される前の状態において、上ケース部１１の鍔部１１ｖの外形がカバー部材Ｃ６の筒状部３６の内形より大きいので、筒状部３６が鍔部１１ｖの外形に沿って弾性変形して、ケースＫ２１に装着されるようになる。つまり、電気部品２００が被取付部５００に取り付けられた際には、被取付部５００と鍔部１１ｖとの間に、筒状部３６の一部とベース部１６の一部とが挟持されて、カバー部材Ｃ６に所謂アンダーカット部が明確に形成されることとなる。
【０１４６】
これにより、従来例のようなアンダーカット形状部分をカバー部材Ｃ６に予め設ける必要がなく、カバー部材Ｃ６を防水のための部材として容易に用いることができる。このことにより、カバー部材Ｃ６を作製するための金型構造を簡略化することができるとともに、カバー部材Ｃ６を成形する際に、カバー部材Ｃ６を金型から外すときに無理な引き抜きをしなくても良いので、削れカスも発生しにくく、削れカスによる不具合の発生を防止することができる。
【０１４７】
また、電気部品２００が被取付部５００に取り付けられた際には、図１８及び図１９に示すように、カバー部材Ｃ６が取付孔５００ｈを覆うとともに、図２４に示すように、鍔部１１ｖの外形に沿って変形した筒状部３６の一部及びベース部１６の一部が鍔部１１ｖと被取付部５００とにより圧接挟持される。このため、ケースＫ２１の他方側が挿入された被取付部５００の取付孔５００ｈを覆うカバー部材Ｃ６でケースＫ２１の開口Ｋ１ｈ側を防水することができる。
【０１４８】
また、カバー部材Ｃ６には、不透明な材質からなる合成ゴム材を用いており、ユーザ側からはカバー部材Ｃ６の内側に係合部材２７１の把持部２７１ｊが突出していることが分からない。このため、例えば、修理業者のように係合部材２７１の存在を知る人以外には取り外し方が分かりにくく、ユーザにより不用意に取り外される虞を少なくすることができる。
【０１４９】
次に、カバー部材Ｃ６のそれぞれの構成要素について詳細に説明する。
【０１５０】
先ず、カバー部材Ｃ６のベース部１６は、円筒形状の孔部１６ｋを有したリング形状に形成されており、電気部品２００が被取付部５００に取り付けられた際には、図１８及び図１９に示すように、被取付部５００の一方側の面と当接する。
【０１５１】
次に、カバー部材Ｃ６の筒状部３６は、孔部１６ｋに臨むベース部１６の内縁部の上面から延設されて形成されているとともに、ベース部１６よりも厚みが薄く充分な弾性変形ができるように形成されている。
【０１５２】
そして、詳細な図示はしていないが、カバー部材Ｃ６がケースＫ２１に装着されていない状態において、筒状部３６の外形（外周径）が、蓋部５６側から平面視して、ケースＫ２１（上ケース部１１）の鍔部１１ｖの外形（外周径）よりも小さく構成されている。このため、図１８及び図１９に示すように、カバー部材Ｃ６の孔部１６ｋ及び筒状部３６の内部の空間にかけてケースＫ２１（上ケース部１１）が挿入された際には、筒状部３６が伸ばされて（弾性変形して）鍔部１１ｖの外形に沿って装着されるようになる。
【０１５３】
また、カバー部材Ｃ６がケースＫ２１（上ケース部１１）に装着された際には、図１８、図１９及び図２４に示すように、筒状部３６の一部が鍔部１１ｖの外周部と外周壁部７６との間に位置するようになる。これにより、この外周壁部７６によって、鍔部１１ｖの外周部側（鍔部１１ｖの延出方向側）に位置する筒状部３６を外的要因、例えば物理的な衝撃等から保護することができる。
【０１５４】
次に、カバー部材Ｃ６の蓋部５６は、筒状部３６における孔部１６ｋと対向する側を塞ぐようにして形成され、筒状部３６から連続して形成されたドーム形状のドーム部５６ｄと、ドーム部５６ｄの頂部に設けられた円柱形状の押子部５６ｐと、から主に構成されている。
【０１５５】
また、図２４に示すように、蓋部５６のドーム部５６ｄにおける筒状部３６側の下側部５６ｔは、蓋部５６と繋がっている位置から下方に向けて突出するように形成されている。そして、カバー部材Ｃ６がケースＫ２１（上ケース部１１）に装着された際には、下側部５６ｔが上ケース部１１の鍔部１１ｖの段差部１１ｄと対向する位置、つまり第１規制部１１ｚの内側に配設されて、この下側部５６ｔにおける段差部１１ｄと対向する位置を第２規制部５６ｚとして用いている。このため、カバー部材Ｃ６をケースＫ２１に装着する際に、第１規制部１１ｚと第２規制部５６ｚとが係合するようになる。
【０１５６】
これにより、筒状部３６が鍔部１１ｖの外形に沿って弾性変形して鍔部１１ｖを覆うときに、蓋部５６が鍔部１１ｖの延出方向側に引っ張られて変形することを防止することができる。つまり、筒状部３６のみがより引っ張られるので、筒状部３６がより鍔部１１ｖに密着するように伸張して装着されるようになる。このことにより、筒状部３６と鍔部１１ｖとの間に生じる隙間を小さくすることができ、より筒状部３６を鍔部１１ｖに密着させることができる。更に、カバー部材Ｃ６をケースＫ２１に装着する際や操作部材Ｓ３が操作される際に、蓋部５６が不所望に広がって変形するのを防止することができる。
【０１５７】
最後に、カバー部材Ｃ６の外周壁部７６は、図１３（ａ）及び図１４（ｂ）に示すように、ベース部１６の外側縁部の上面から上方（図１３及び図１４に示すＺ１方向）に向けて突出して設けられており、筒状部３６の周囲を囲むようにして筒状に形成されている。また、外周壁部７６は、図１４（ｂ）に示すように、筒状部３６より厚みが厚く構成されている。これにより、前述した鍔部１１ｖの外側に位置する筒状部３６における外的要因からの保護を確実に行うことができる。このことにより、例えば筒状部３６の破れ等の発生を防止することができ、カバー部材Ｃ６の耐久性を向上させることができる。
【０１５８】
最後に、電気部品２００の検出手段Ｍ２５、端子部材Ｔ７及び取出端子ＴＡ２９について説明する。
【０１５９】
図２５は、本発明の第２実施形態に係わる検出手段Ｍ２５、端子部材Ｔ７及び取出端子ＴＡ２９を説明する図であって、図２５（ａ）は、図１７に示すＸ１とＹ２の中間側から見た上方斜視図であり、図２５（ｂ）は、図２５（ａ）とは反対側から見た上方斜視図である。図２６は、図１９に示すＳ部分の拡大図である。
【０１６０】
先ず、電気部品２００の検出手段Ｍ２５は、図２５に示すように、操作部材Ｓ３と一体に動作可能な可動接点部材５Ａと、可動接点部材５Ａと接触可能な２つの固定接点部材５Ｃと、を有して構成されている。また、可動接点部材５Ａ及び固定接点部材５Ｃは、金属板を用いており、切断加工や曲げ加工等を施して作製されている。なお、本発明の第２実施形態では、２つの固定接点部材５Ｃは、互いに電気的に絶縁された第１固定接点部Ｃ１５と第２固定接点部Ｃ２５とで構成されている。また、検出手段Ｍ２５の可動接点部材５Ａ及び２つの固定接点部材５Ｃ（第１固定接点部Ｃ１５及び第２固定接点部Ｃ２５）は、ケースＫ２１内に収容されている。
【０１６１】
そして、電気部品２００が組み立てられた際には、可動接点部材５Ａは、操作部材Ｓ３の基部１３の側壁に固定され、図２５（ｂ）に示すように、可動接点部材５Ａの２つの摺動子のそれぞれ（合計で４つの摺動子）が、第１固定接点部Ｃ１５及び第２固定接点部Ｃ２５と当接する位置にそれぞれ配設される。これにより、第１固定接点部Ｃ１５と第２固定接点部Ｃ２５とが可動接点部材５Ａを介して電気的に接続された状態、所謂クローズ状態となる。
【０１６２】
そして、カバー部材Ｃ６を介して操作部材Ｓ３に対して下方に向けて押圧操作が行われると、可動接点部材５Ａの摺動子は、第１固定接点部Ｃ１５及び第２固定接点部Ｃ２５と離間するようになる。これにより、第１固定接点部Ｃ１５と第２固定接点部Ｃ２５とが電気的に切断された状態、所謂オープン状態となる。なお、このとき、可動接点部材５Ａの摺動子は、２つの固定接点部材５Ｃの少なくとも一方（例えば、第１固定接点部Ｃ１５）から離間すれば良く、他方（例えば、第２固定接点部Ｃ２５）とは、接触していても良い。
【０１６３】
このようにして、本発明の第２実施形態では、可動接点部材５Ａ及び２つの固定接点部材５Ｃ（第１固定接点部Ｃ１５及び第２固定接点部Ｃ２５）を用いて、可動接点部材５Ａと２つの固定接点部材５Ｃとを接離させることにより、検出手段Ｍ２５を構成している。そして、この検出手段Ｍ２５によって、操作部材Ｓ３が操作されることに伴う操作部材Ｓ３の動作を検出して、オープン状態とクローズ状態との切り替えを行えるスイッチ装置として機能させている。しかも、この検出手段Ｍ２５がケースＫ２１内に収容されているので、カバー部材Ｃ６により、確実に防水を行うことができる。
【０１６４】
次に、電気部品２００の端子部材Ｔ７は、平板状で半リング形状に形成された基板部Ｔ７ｄと、半リング形状の両端側からそれぞれ略垂直に延設（下垂）された側端部Ｔ７ｅと、から構成されている。なお、端子部材Ｔ７は、可動接点部材５Ａ及び固定接点部材５Ｃと同様に、金属板を用いており、切断加工や曲げ加工等を施して作製されている。
【０１６５】
端子部材Ｔ７の基板部Ｔ７ｄは、上ケース部１１に埋設されて配設されており、図２１に示すように、ケースＫ２１の開口Ｋ１ｈ側で上面部分を外部に露出している。この露出部分は、鍔部１１ｖの段差部１１ｄより内側（収容部Ｋ１ｓ側）に位置している。
【０１６６】
また、基板部Ｔ７ｄは、図２５（ａ）に示すように、第２固定接点部Ｃ２５と溶接やかしめ等によって接続されて導通している。なお、図２５では分かり辛いが、基板部Ｔ７ｄ（端子部材Ｔ７）と第１固定接点部Ｃ１５とは離間しており、互いに電気的に絶縁されている。
【０１６７】
端子部材Ｔ７の側端部Ｔ７ｅは、図２５に示すように、横断面がＵ字形状で形成されており、図２１、図２２（ａ）及び図２３（ａ）に示すように、ケースＫ２１の側面部に形成されたＵ字状の凹溝Ｋ１ｕにそれぞれ収容されている。その際には、側端部Ｔ７ｅの凹形状の端部側がケースＫ２１の外方に向けて露出するようになっている。
【０１６８】
そして、電気部品２００が被取付部５００に取り付けられた際には、図２６に示すように、側端部Ｔ７ｅの凹形状の端縁が被取付部５００と当接するように構成されている。なお、この被取付部５００と当接可能な部分を端子部材Ｔ７における露出部Ｔ７ｒとしている。つまり、この露出部Ｔ７ｒは、収容部Ｋ１ｓを挟んで対向するケースＫ２１の側面部のそれぞれ設けられることとなる。
【０１６９】
これにより、電気部品２００が被取付部５００に取り付けられた際には、第２固定接点部Ｃ２５が端子部材Ｔ７を介して被取付部５００と導通することとなる。なお、側端部Ｔ７ｅがＵ字形状で形成されているので、２箇所（両側を合わせると４箇所）で被取付部５００と接触することとなり、より接続の安定性が向上している。
【０１７０】
また、この露出部Ｔ７ｒは、係合部材２７１が設けられた外壁部５１ｗとは異なる面に位置している。具体的には、本発明の第２実施形態では、平面視（上面視）して、下ケース部５１に設けられた凹溝Ｋ１ｕの位置（露出部Ｔ７ｒの部分）と係合部材２７１が設けられている位置とは、略直交して配設されている。つまり、それぞれ略９０°ずつズレた位置に、２箇所の露出部Ｔ７ｒと２つの係合部材２７１が配設されている。
【０１７１】
これにより、露出部Ｔ７ｒと係合部材２７１とを干渉させずに、ケースＫ２１内に容易に配設することができ、複数の露出部Ｔ７ｒを設けることが可能となる。このことにより、複数の露出部Ｔ７ｒと被取付部５００とで端子部材Ｔ７と被取付部５００との接続を行えるので、導通接続の信頼性を高めることができる。更に、カバー部材Ｃ６が不透明な材質であっても、この露出部Ｔ７ｒを目印として、係合部材２７１の把持部２７１ｊを掴むことができ、作業者が脱着の作業を行う際に、作業がやり易くなる。
【０１７２】
最後に、電気部品２００の取出端子ＴＡ２９は、図２５に示すように、検出手段Ｍ２５の第１固定接点部Ｃ１５と一体に形成されており、図１８、図２２（ｂ）及び図２３（ｂ）に示すように、コネクタハウジングＨ８内に配設されている。そして、図示しない相手側コネクタがコネクタハウジングＨ８に挿入されて、外部機器との電気的な接続が行われる。なお、取出端子ＴＡ２９は、固定接点部材５Ｃ及び端子部材Ｔ７ともに、ケースＫ２１及びコネクタハウジングＨ８を射出成形する際に、インサート成形されている。また、取出端子ＴＡ２９は、電気的な接続の安定性のために、表面には、銀めっきが施されている。なお、固定接点部材５Ｃや端子部材Ｔ７は、圧入によって、コネクタハウジングＨ８を有するケースＫ２１に取り付けられていても良い。
【０１７３】
以上のように構成することにより、電気部品２００において外部端子（取出端子ＴＡ２９）を１つにすることができ、取出端子ＴＡ２９から、第１固定接点部Ｃ１５、可動接点部材５Ａ、第２固定接点部Ｃ２５、端子部材Ｔ７を介して、被取付部５００（グランドとなる）まで導通させることができる。
【０１７４】
そして、電気部品２００が被取付部５００に取り付けられた際には、この取出端子ＴＡ２９が被取付部５００を挟んでカバー部材Ｃ６とは反対側に位置するようになるとともに、ケースＫ２１の側面部から露出する露出部Ｔ７ｒがカバー部材Ｃ６の内側に位置することとなる。これにより、取出端子ＴＡ２９及び露出部Ｔ７ｒ（被取付部５００の取付孔５００ｈ）が防水された環境下に置かれることとなり、片方の端子（マイナス電極板９０２）が厳しい環境下に晒される従来例と比較して、取出端子ＴＡ２９及び露出部Ｔ７ｒが錆びにくくなる。このことにより、導通不良の発生を極力低減することができる。
【０１７５】
以上のように構成された本発明の第２実施形態の電気部品２００における、効果について、以下に纏めて説明する。
【０１７６】
本発明の第２実施形態の電気部品２００は、カバー部材Ｃ６が、孔部１６ｋを有して板状に形成されたベース部１６と、孔部１６ｋの内縁部から延設され弾性変形可能な筒状部３６と、筒状部３６における孔部１６ｋと対向する側を塞ぐ蓋部５６と、有しており、カバー部材Ｃ６の筒状部３６が鍔部１１ｖの外形に沿って弾性変形して装着されている構成とした。このため、従来例のようなアンダーカット形状部分をカバー部材Ｃ６に予め設ける必要がない。このことにより、カバー部材Ｃ６を作製するための金型構造を簡略化することができるとともに、金型からカバー部材Ｃ６を外すときに無理な引き抜きをしなくても良いので、削れカスも発生しにくく、削れカスによる不具合の発生を防止することができる。従って、簡易な構成でありながら、防水構造を備えた電気部品２００を提供することができる。
【０１７７】
また、鍔部１１ｖの外形に沿って変形した筒状部３６の一部及びベース部１６の一部が、鍔部１１ｖと被取付部５００とにより圧接挟持されるので、ケースＫ２１の他方側が挿入された被取付部５００の取付孔５００ｈを覆うカバー部材Ｃ６でケースＫ２１の開口Ｋ１ｈ側を防水することができる。このため、従来例のようにアンダーカット形状部分をカバー部材Ｃ６に設けない簡易な構成でありながら、防水を確実に行うことができる。
【０１７８】
また、カバー部材Ｃ６をケースＫ２１に装着する際に、ケースＫ２１の鍔部１１ｖに設けられた第１規制部１１ｚとカバー部材Ｃ６の蓋部５６に設けられた第２規制部５６ｚとが係合するので、筒状部３６が鍔部１１ｖの外形に沿って弾性変形して鍔部１１ｖを覆うときに、蓋部５６が鍔部１１ｖの延出方向側に引っ張られて変形することを防止することができる。このため、筒状部３６と鍔部１１ｖとの間に生じる隙間を小さくすることができ、より筒状部３６を鍔部１１ｖに密着させることができる。このことにより、より防水機能を高めることができる。また、蓋部５６の変形が防止されることで、カバー部材Ｃ６を介して操作部材Ｓ３が操作される際の操作性に悪影響を与えることがない。
【０１７９】
また、筒状部３６より厚みが厚い外周壁部７６とケースＫ２１の鍔部１１ｖとの間に筒状部３６の一部が位置するので、鍔部１１ｖの外周部側（鍔部１１ｖの延出方向側）に位置する筒状部３６を外的要因、例えば物理的な衝撃等から保護することができる。このことにより、例えば筒状部３６の破れ等の発生を防止することができ、カバー部材Ｃ６の耐久性を向上させることができる。
【０１８０】
また、被取付部５００に係合可能な係合突部７１ｋを有する係合部材２７１が、鍔部１１ｖの内側に配置されるので、電気部品２００を被取付部５００に取り付ける機構（係合部材２７１）も含めて、鍔部１１ｖに装着されたカバー部材Ｃ６によって、確実に被取付部５００の取付孔５００ｈを覆うことができる。このことにより、電気部品２００の防水性能をより高めることができる。
【０１８１】
また、ケースＫ２１の下ケース部５１の外壁部５１ｗに繋がって弾性変形可能に設けられた係合部材２７１が、側面視して、上ケース部１１の上方まで延在した把持部２７１ｊを上端部に有しているので、カバー部材Ｃ６がケースＫ２１に取り付けられた後においても、カバー部材Ｃ６を介してこの把持部２７１ｊを操作することができる。このため、電気部品２００を被取付部５００に取り付ける際には、カバー部材Ｃ６の外側から把持部２７１ｊを収容部Ｋ１ｓ側に揺動しながら係合突部７１ｋを被取付部５００の取付孔５００ｈに挿入し、その後、把持部２７１ｊの揺動を初期に戻すことで、係合突部７１ｋと被取付部５００とを容易に係合させることができる。一方、電気部品２００を被取付部５００に取り付けた後に、カバー部材Ｃ６の外側からカバー部材Ｃ６越しに把持部２７１ｊを収容部Ｋ１ｓ側に揺動することで、係合突部７１ｋと被取付部５００との係合を容易に外すことができ、電気部品２００を被取付部５００から容易に外すことができる。これらのことから、簡易な構成でありながら、電気部品２００を容易に脱着することができる。
【０１８２】
また、係合部材２７１が下ケース部５１の外壁部５１ｗに設けられた凹部の底面から延設されているので、外壁部５１ｗのいずれかから外方に延設してＬ字状に屈曲する場合と比較して、より内側に係合部材２７１を配置することができる。このため、上ケース部１１内に係合部材２７１を延設させやすく、把持部２７１ｊを容易にカバー部材Ｃ６内に収めることができる。
【０１８３】
また、係合部材２７１が収容部Ｋ１ｓを挟んで対向する位置にそれぞれ設けられているので、係合部材２７１（係合突部７１ｋ）が均等に被取付部５００を圧接するようになる。このため、係合突部７１ｋによりケースＫ２１を確実に被取付部５００に固定できるとともに、被取付部５００に対して傾くことなくケースＫ２１を保持することができる。このことにより、簡易な構成でありながら、確実に且つ容易に電気部品２００の装着を行うことができ、カバー部材Ｃ６と被取付部５００との密着構造を確実なものとし、防水機能を高めることができる。
【０１８４】
また、カバー部材Ｃ６が不透明な材質なので、ユーザ側からはカバー部材Ｃ６の内側に係合部材２７１の把持部２７１ｊが突出していることが分からない。このため、例えば、修理業者のように係合部材２７１の存在を知る人以外には取り外し方が分かりにくく、ユーザにより不用意に取り外される虞を少なくすることができる。
【０１８５】
また、検出手段Ｍ２５が操作部材Ｓ３と一体に動作可能な可動接点部材５Ａと可動接点部材５Ａと接触可能な固定接点部材５Ｃを有しているので、操作部材Ｓ３が操作されることに伴い、可動接点部材５Ａと固定接点部材５Ｃが接離するスイッチとして機能する。しかも、検出手段Ｍ２５がケースＫ２１内に収容されているので、確実に防水を行うことができる。これらのことにより、簡易な構成でありながら、スイッチ機能を有し防水構造を備えた電気部品２００を提供することができる。
【０１８６】
また、第１固定接点部Ｃ１５が外部機器との電気的な接続のための取出端子ＴＡ２９と導通しているとともに、第２固定接点部Ｃ２５が被取付部５００と当接可能な露出部Ｔ７ｒを有した端子部材Ｔ７と導通しているので、取出端子ＴＡ２９から、第１固定接点部Ｃ１５、可動接点部材５Ａ、第２固定接点部Ｃ２５、端子部材Ｔ７を介して、被取付部５００まで導通させることができる。このため、電気部品２００において外部端子（取出端子ＴＡ２９）を１つにすることができる。
【０１８７】
なお、本発明は上記実施形態に限定されるものではなく、例えば次のように変形して実施することができ、これらの実施形態も本発明の技術的範囲に属する。
【０１８８】
＜変形例１＞
上記第１実施形態では、係合部材７１を用いて電気部品１００を被取付部５００に容易に固定する好適な構成であったが、これに限るものではなく、例えば、ケースＫ１の鍔部１１ｖをカバー部材Ｃ６の上から押つけるようにして、外から抑える取付手段を設ける構成でも良い。
【０１８９】
＜変形例２＞
上記第１実施形態では、第１固定接点部Ｂ１５と第２固定接点部Ｂ２５を離間させ、第１固定接点部Ｂ１５に第１取出端子１９を接続し、第２固定接点部Ｂ２５に第２取出端子２９を接続する構成としたが、これに限るものではない。例えば、２つの固定接点部材５Ｂを用いなく、可動接点部材５Ａと第１取出端子１９とを直接摺動させ、１つの固定接点部材５Ｂと第２取出端子２９とを接続する構成でも良い。
【０１９０】
＜変形例３＞
上記第２実施形態では、端子部材Ｔ７の側端部Ｔ７ｅの横断面形状が好適にＵ字形状であったが、これに限るものではなく、例えばＩ字形状であっても良いし、Ｖ字形状であっいても良い。
【０１９１】
＜変形例４＞
上記実施形態では、係合部材７１及び係合部材２７１が好適に２つ用いた構成であったが、１つのみ用いた構成であっても良い。
【０１９２】
＜変形例５＞
上記実施形態では、可動接点部材５Ａ及び固定接点部材５Ｂ（或いは固定接点部材５Ｃ）を備えたスイッチ装置を有して構成していたが、スイッチ装置に限らず、例えば、可変抵抗器や各種センシング装置であっても良い。
【０１９３】
＜変形例６＞
上記実施形態では、操作部材Ｓ３が一方向（上下方向）に移動する押圧操作タイプであったが、これに限るものではなく、例えば揺動操作タイプや回転操作タイプであっても良い。
【０１９４】
＜変形例７＞
上記実施形態では、ケースＫ１（或いはケースＫ２１）とコネクタハウジングＨ８とを好適に一体で形成したが、これに限るものではなく、例えば、別体で形成して、スイッチとコネクタを分けても良い。
【０１９５】
本発明は上記実施の形態に限定されず、本発明の目的の範囲を逸脱しない限りにおいて適宜変更することが可能である。
【符号の説明】
【０１９６】
Ｋ１、Ｋ２１  ケース
Ｋ１ｈ    開口
Ｋ１ｓ    収容部
１１      上ケース部
１１ｖ    鍔部
１１ｚ    第１規制部
５１      下ケース部
５１ｗ    外壁部
７１、２７１  係合部材
７１ｋ    係合突部
２７１ｊ  把持部
Ｓ３    操作部材
Ｍ５、Ｍ２５  検出手段
５Ａ    可動接点部材
５Ｂ、５Ｃ      固定接点部材
Ｂ１５、Ｃ１５  第１固定接点部
Ｂ２５、Ｃ２５  第２固定接点部
Ｃ６    カバー部材
１６    ベース部
１６ａ  傘部
１６ｋ  孔部
１６ｔ  突設部
３６    筒状部
５６    蓋部
５６ｚ  第２規制部
７６    外周壁部
Ｔ７    端子部材
Ｔ７ｒ  露出部
ＴＡ９、ＴＡ２９  取出端子
１９    第１取出端子
２９    第２取出端子
１００、２００  電気部品
５００  被取付部
５００ｈ  取付孔
【図１】
0006624957.tif 000002
【図２】
0006624957.tif 000003
【図３】
0006624957.tif 000004
【図４】
0006624957.tif 000005
【図５】
0006624957.tif 000006
【図６】
0006624957.tif 000007
【図７】
0006624957.tif 000008
【図８】
0006624957.tif 000009
【図９】
0006624957.tif 000010
【図１０】
0006624957.tif 000011
【図１１】
0006624957.tif 000012
【図１２】
0006624957.tif 000013
【図１３】
0006624957.tif 000014
【図１４】
0006624957.tif 000015
【図１５】
0006624957.tif 000016
【図１６】
0006624957.tif 000017
【図１７】
0006624957.tif 000018
【図１８】
0006624957.tif 000019
【図１９】
0006624957.tif 000020
【図２０】
0006624957.tif 000021
【図２１】
0006624957.tif 000022
【図２２】
0006624957.tif 000023
【図２３】
0006624957.tif 000024
【図２４】
0006624957.tif 000025
【図２５】
0006624957.tif 000026
【図２６】
0006624957.tif 000027
【図２７】
0006624957.tif 000028